(57)【特許請求の範囲】
【請求項１】
プラグ接続部、
前記プラグ接続部に供給される電流又は電力を検出するセンサ、および、
前記センサが検出した検出値を出力する出力部、を有する電源接続機器と、
前記検出値を前記電源接続機器から取得する取得部、および
所定時刻において、前記電源接続機器から取得した検出値と所定閾値とを比較し、比較結果に基づいて、前記プラグ接続部に供給される電流又は電力の供給開始又は供給停止を制御する制御部、を有する情報処理装置と、を備え、
前記所定時刻は、第１の時刻及び第２の時刻を含み、
前記所定閾値は、第１の閾値及び第２の閾値を含み、
前記制御部は、
前記第１の時刻において、前記電源接続機器から取得した検出値と前記第１の閾値とを比較し、比較結果に基づいて、前記プラグ接続部に供給される電流又は電力の供給開始又は供給停止を制御し、
前記第２の時刻において、前記電源接続機器から取得した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、
二次電池管理システム。
【請求項２】
前記所定時刻は、第３の時刻を更に含み、
前記制御部は、前記第３の時刻において、前記プラグ接続部に供給される電流又は電力の供給開始を制御し、
前記第３の時刻は、前記第２の時刻よりも遅い時刻である、請求項１に記載の二次電池管理システム。
【請求項３】
プラグ接続部と、
前記プラグ接続部に供給される電流または電力を検出するセンサと、
所定時刻において、前記センサが検出した検出値と所定閾値とを比較し、比較結果に基づいて、前記プラグ接続部に供給される電流又は電力の供給開始又は供給停止を制御する制御部と、を備え、
前記所定時刻は、第１の時刻及び第２の時刻を含み、
前記所定閾値は、第１の閾値及び第２の閾値を含み、
前記制御部は、
前記第１の時刻において、前記センサが検出した検出値と前記第１の閾値とを比較し、比較結果に基づいて、前記プラグ接続部に供給される電流又は電力の供給開始又は供給停止を制御し、
前記第２の時刻において、前記センサが検出した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、
電源接続機器。
【請求項４】
プラグ接続部に供給される電流または電力を検出するセンサ、および、前記センサが検出した検出値を出力する出力部、を有する電源接続機器から、前記検出値を取得する取得部と、
所定時刻において、前記電源接続機器から取得した検出値と所定閾値とを比較し、比較結果に基づいて、前記プラグ接続部に供給される電流又は電力の供給開始又は供給停止を制御する制御部と、を備え、
前記所定時刻は、第１の時刻及び第２の時刻を含み、
前記所定閾値は、第１の閾値及び第２の閾値を含み、
前記制御部は、
前記第１の時刻において、前記電源接続機器から取得した検出値と前記第１の閾値とを比較し、比較結果に基づいて、前記プラグ接続部に供給される電流又は電力の供給開始又は供給停止を制御し、
前記第２の時刻において、前記電源接続機器から取得した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、
情報処理装置。
【請求項５】
コンピュータが、
プラグ接続部に供給される電流又は電力を検出するセンサ、及び、前記センサが検出した検出値を出力する出力部、を有する電源接続機器から、前記検出値を取得する取得ステップと、
所定時刻において、前記電源接続機器から取得した検出値と所定閾値とを比較し、比較結果に基づいて、前記プラグ接続部に供給される電流又は電力の供給開始又は供給停止を制御する制御ステップと、
を実行し、
前記所定時刻は、第１の時刻及び第２の時刻を含み、
前記所定閾値は、第１の閾値及び第２の閾値を含み、
前記制御ステップは、
前記第１の時刻において、前記電源接続機器から取得した検出値と前記第１の閾値とを比較し、比較結果に基づいて、前記プラグ接続部に供給される電流又は電力の供給開始又
は供給停止を制御し、
前記第２の時刻において、前記電源接続機器から取得した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、
二次電池管理方法。
【請求項６】
コンピュータに、
プラグ接続部に供給される電流又は電力を検出するセンサ、及び、前記センサが検出した検出値を出力する出力部、を有する電源接続機器から、前記検出値を取得する取得ステップと、
所定時刻において、前記電源接続機器から取得した検出値と所定閾値とを比較し、比較結果に基づいて、前記プラグ接続部に供給される電流又は電力の供給開始又は供給停止を制御する制御ステップと、
を実行させるための二次電池管理プログラムであって、
前記所定時刻は、第１の時刻及び第２の時刻を含み、
前記所定閾値は、第１の閾値及び第２の閾値を含み、
前記制御ステップは、
前記第１の時刻において、前記電源接続機器から取得した検出値と前記第１の閾値とを比較し、比較結果に基づいて、前記プラグ接続部に供給される電流又は電力の供給開始又は供給停止を制御し、
前記第２の時刻において、前記電源接続機器から取得した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、
二次電池管理プログラム。
【発明の詳細な説明】
【技術分野】
【０００１】
本発明は、二次電池の充電管理技術に関する。
【背景技術】
【０００２】
近年、携帯電話やノートパソコンをはじめ、多くの電気機器にバッテリ等の二次電池が搭載されるようになった。二次電池は、使用状態により劣化の状況が大きく異なるため、時間経過のみで二次電池の劣化を判断するができない。一般に、二次電池を延命するためには、充電と放電とを繰り返して二次電池を使用することが良いとされている。
【０００３】
一方、電源アダプタを電源に繋げたまま、二次電池が搭載された電気機器を使用すること（過充電）は、二次電池の劣化が大きいとされている。これは、電気機器の不使用時も二次電池が常に充電状態となることで、二次電池のエネルギーが常に満杯状態となり、二次電池にストレスが蓄積し、二次電池の放電容量が減少するためである。また、二次電池を搭載した電気機器を充電せずに長時間放置すること（過放電）は、二次電池の劣化が大きいとされている。これは、必要以上に放電されると、二次電池内の物質が変化して、二次電池の充電能力が低下するためである。
【先行技術文献】
【特許文献】
【０００４】
【特許文献１】特許第３１８８７４０号公報
【特許文献２】特許第３３７００４７号公報
【特許文献３】特公平６−１００６４１号公報
【特許文献４】特開平８−２５４５７３号公報
【特許文献５】特開平９−２３６６４１号公報
【特許文献６】特開２００４−３０１７８２号公報
【特許文献７】特開２００８−８３０２２号公報
【特許文献５】特開２００９−２１０４９４号公報
【発明の概要】
【発明が解決しようとする課題】
【０００５】
通常、二次電池を搭載する電気機器を長時間使用しない場合は、電気機器のプラグをコンセントから抜くように指示されている。また、電気機器の使用状況に応じて、電気機器のプラグをコンセントから抜く必要がある。しかし、ユーザが、二次電池の充放電を意識しながら、電気機器のプラグの抜き差しを行うのは難しい。そのため、電気機器のプラグをコンセントに差したままの状態で電気機器が使用されたり、電気機器のプラグをコンセントから抜いたままの状態で電気機器が保管されたりしている。したがって、ユーザが、二次電池の充放電を意識せずとも、自動的に二次電池の充電の開始や充電の停止が行われることが望まれる。
【０００６】
本件は、二次電池の充電の開始や充電の停止を管理する技術を提供することを目的とする。
【課題を解決するための手段】
【０００７】
本件の一観点による管理システムは、
プラグ接続部、
前記プラグ接続部に供給される電流または電力を検出するセンサ、および、
前記センサが検出した検出値を出力する出力部、を有する電源接続機器と、
前記検出値を前記電源接続機器から取得する取得部、および
所定時刻において、前記電源接続機器から取得した検出値と所定閾値とを比較し、比較結果に基づいて、前記プラグ接続部に供給される電流または電力の供給開始又は供給停止を制御する制御部、を有する情報処理装置と、を備える。
【発明の効果】
【０００８】
本件によれば、二次電池の充電の開始や充電の停止を管理することが可能となる。
【図面の簡単な説明】
【０００９】
【図１】二次電池の充電管理システムの概略構成図である。
【図２】電源接続機器１の外観図の例である。
【図３】電源接続機器１内の接続図の例である。
【図４】電源接続機器１及び管理装置３の信号処理に関連するハードウェアの構成を例示する図である。
【図５】管理装置３の機能ブロック図の例である。
【図６】本システムによる消費電力値の収集処理の例を示す図である。
【図７】収集時刻、消費電力、差分値及び状態フラグの各フィールドを有するテーブルの例を示す図である。
【図８】図８の（Ａ）は、システム設定値テーブル３２０の構成例を示す図である。図８の（Ｂ）は、ユーザ情報テーブル３２１の構成例を示す図である。
【図９】図９の（Ａ）は、開始時刻テーブル３２２の構成例を示す図である。図９の（Ｂ）は、消費電力テーブル３２３の構成例を示す図である。図９の（Ｃ）は、状態フラグテーブル３２４の構成例を示す図である。
【図１０】図１０の（Ａ）及び（Ｂ）は、状態管理テーブル３２５の構成例を示す図である。
【図１１】図１１の（Ａ）は、最小消費電力テーブル３２６の構成例を示す図である。図１１の（Ｂ）は、充電確認ポイント予備テーブル３２７の構成例を示す図である。図１１の（Ｃ）は、充電確認ポイントテーブル３２８の構成例を示す図である。
【図１２】図１２の（Ａ）は、スケジューラ収集時刻テーブル３２９の構成例である。図１２の（Ｂ）は、機器使用時刻テーブル３３０の構成例である。図１２の（Ｃ）は、起動予測時刻テーブル３３１の構成例である。
【図１３】管理装置３による二次電池の充電管理処理のフローチャートである。
【図１４】管理装置３による二次電池の充電管理処理のフローチャートである。
【図１５】ユーザ情報の登録手続処理のフローチャートである。
【図１６】消費電力収集処理のフローチャートである。
【図１７】状態フラグテーブル処理のフローチャートである。
【図１８】状態管理テーブル処理のフローチャートである。
【図１９】最小消費電力テーブル処理のフローチャートである。
【図２０】機器使用開始時刻テーブル処理のフローチャートである。
【図２１】充電確認ポイント予備テーブル処理のフローチャートである。
【図２２】起動予測時刻処理のフローチャートである。
【図２３】コンセントスイッチ制御処理のフローチャートである。
【図２４】コンセントスイッチ制御処理のフローチャートである。
【図２５】実施例２に係る電源接続機器１Ａの外観図の例である。
【図２６】実施例２に係る電源接続機器１Ａ内の接続図の例である。
【図２７】実施例２に係る電源接続機器１Ａのハードウェアの構成を例示する図である。
【発明を実施するための形態】
【００１０】
以下、図面を参照して、実施形態に係る二次電池の充電管理システムについて説明する
。以下の実施形態の構成は例示であり、二次電池の充電管理システムは実施形態の構成には限定されない。
【実施例１】
【００１１】
以下、図１から図２４の図面に基づいて、実施例１に係る二次電池の充電管理システムを説明する。
【００１２】
＜システム構成＞
図１に、実施例１に係る二次電池の充電管理システムの概略構成図を示す。図１に示す二次電池の充電管理システム（以下、本システムと表記する）では、電源接続機器１と、電源接続機器１に接続される電気機器２Ａ、２Ｂ及び２Ｃと、電源接続機器１のコンセントＣ１に接続された電気機器２Ａ、２Ｂ及び２Ｃで消費される電力値を収集する管理装置３と、を有する。電源接続機器１と管理装置３とは、ネットワーク４を介して接続されている。図１では、管理装置３には、１つの電源接続機器１が接続されている例を示しているが、電源接続機器１は複数であってもよい。すなわち、管理装置３は、複数の電源接続機器１と接続され、複数の電源接続機器１を管理してもよい。更に、図１に示す本システムでは、ネットワーク４を介して管理装置３を管理するための管理者端末５と、ネットワーク４を介して管理装置３及び管理者端末５に接続されるユーザ端末６と、が含まれている。管理装置３は、情報処理装置の一例である。
【００１３】
電源接続機器１は、電気機器２Ａ、２Ｂ及び２Ｃに電力を供給するコンセントＣ１を配置した機器である。図１に示す例では、電源接続機器１には、４つのコンセントＣ１が配置されているが、コンセントＣ１の数がこれに限定されるものではない。また、以下、電気機器２Ａ、２Ｂ及び２Ｃを総称する場合には、電気機器２と表記する。コンセントＣ１は、プラグ接続部の一例である。
【００１４】
後述するように、電源接続機器１には、電流センサが内蔵され、個々のコンセントＣ１から供給される電流値を検出する。この電流値は、管理装置３で電力値に変換され、管理装置３のデータベースのテーブルに格納される。ただし、電源接続機器１において、電力値を検出するようにしてもよい。例えば、電源接続機器１が電流センサとともに、電圧センサを内蔵するようにすればよい。また、電源接続機器１に電圧パラメータを設定できる機能を設け、設定された電圧パラメータにしたがって電流値を電力値に換算する処理部を設けてもよい。このように、電気機器２に供給される電圧が特定できる場合には、電流値は、電力値と同様に見なすことができるため、以下の実施例では、電流値と電力値とを同様に取り扱う。したがって、以下の実施例において、電力値は、電流値に置き換えることが可能である。
【００１５】
電気機器２は、二次電池を搭載する機器であり、例えば、電気カミソリ、ノート型（ラップトップ型）のパーソナルコンピュータ（ＰＣ）、携帯情報端末、携帯電話、スマートフォン、電子ブック、携帯型ゲーム機、携帯型音楽プレーヤー、携帯型ビデオプレーヤー、携帯型テレビジョン受信器、携帯型ラジオ等である。なお、電源接続機器１には、二次電池を搭載していない機器も接続される場合がある。
【００１６】
ネットワーク４は、例えば、インターネット、ローカルエリアネットワーク（ＬＡＮ）、電話線、専用線、光通信網等の有線又は無線による通信回線である。管理装置３は、例えば、インターネット上のコンピュータ群である、クラウドの一部であってもよい。
【００１７】
＜ハードウェアの構成＞
図２は、実施例１に係る電源接続機器１の外観図の例である。電源接続機器１として、例えば、スマート電源タップを例示できる。ただし、本システムにおいて、電源接続機器
１がスマート電源タップに限定されるわけではなく、コンセントＣ１ごとに供給される電流、あるいは、電力が検出可能なものであれば、どのようなものでもよい。
【００１８】
図２のように、電源接続機器１は、外観上、筐体と、筐体の一方の面に配列された複数のコンセントＣ１と、筐体外部の商用電源を筐体内の各コンセントＣ１に接続する電源ケーブルＡＣ１と、筐体内で検出された電流値を筐体外の信号ケーブルＵＢ１に接続するアダプタＵＡ１とを有している。
【００１９】
コンセントＣ１は、例えば、電気機器２に接続されている電源ケーブルのプラグを挿入する１対のプラグ挿入口と、プラグのアース端子を受け入れるアース端子口とを有する。筐体内には、電力ケーブルＡＣ１から分岐し、各コンセントＣ１に供給する導電路と、分岐したそれぞれの導電路に接続される電極を有する。電極は、それぞれのプラグ挿入口内に埋め込まれており、電源ケーブルのプラグがコンセントＣ１に挿入されたときにプラグのコンタクトに接触し、通電可能となる。
【００２０】
信号ケーブルＵＢ１は、例えば、ＬＡＮケーブルであり、アダプタＵＡ１は、ＬＡＮコネクタを装着するアダプタである。ただし、信号ケーブルＵＢ１及びアダプタＵＡ１の種類に特に限定がある訳ではない。
【００２１】
図３に、電源接続機器１内の接続図を例示する。図３のように、電源接続機器１は、筐体内に、図２の電源ケーブルＡＣ１に接続される導電路ＡＣ２と、導電路Ａ２から分岐した分岐路ＡＣ３と、分岐路ＡＣ３の先端部に接続される複数のコンタクトＣＴ１とを有する。
【００２２】
コンタクトＣＴ１は、図２に示したコンセントＣ１に挿入されるプラグのコンタクトと接触し、通電可能となる。さらに、電源接続機器１は、それぞれの分岐路ＡＣ３を流れる電流を検出する複数の電流センサＣＳ１と、コンタクトＣＴ１と分岐路ＡＣ３との接続及び非接続を切り換えるスイッチＳＷ１とを、を有する。図３では、分岐路ＡＣ３、コンタクトＣＴ１、電流センサＣＳ１、スイッチＳＷ１は、４組み示されている。
【００２３】
電流センサＣＳ１は、例えば、分岐路ＡＣ３の周囲に発生する磁界を検出する磁気センサ、例えば、ホール素子を含む。例えば、分岐路ＡＣ３の周囲に、磁性体で閉磁路を形成し、磁路の一部にホール素子をはめ込むようにすればよい。
【００２４】
さらに、電源接続機器１は、電流センサＣＳ１の検出信号を読みとり、処理する通信制御部１０と、スイッチＳＷ１に信号を送り、スイッチＳＷ１を制御する信号制御部１１とを有する。４つの電流センサＣＳ１の検出信号は、それぞれ通信制御部１０に入力される。通信制御部１０は、電流センサＣＳ１のそれぞれの検出値を、アダプタＵＡ１に出力する。
【００２５】
なお、電源接続機器１は、電流センサＣＳ１の検出信号を読みとり、処理する処理部を有してもよい。そして、４つの電流センサＣＳ１の検出信号を、それぞれ処理部に入力してもよい。処理部は、電流センサＣＳ１のそれぞれの検出値に、電流センサＣＳ１が検出する電流の供給先となるコンセントＣ１の識別情報を対応付けて、アダプタＵＡ１に出力してもよい。アダプタＵＡ１に接続される装置は、コンセントＣ１の識別情報に対応付けて、そのコンセントＣ１で使用されている電力値を取得可能となる。
【００２６】
スイッチＳＷ１は、有接点の機械式リレーであってもよいし、無接点の半導体リレーであってもよい。信号制御部１１からスイッチＳＷ１をＯＮにする信号がスイッチＳＷ１に送られると、スイッチＳＷ１がＯＮになり、コンタクトＣＴ１と分岐路ＡＣ３とが接続さ
れる。信号制御部１１からスイッチＳＷ１をＯＦＦにする信号がスイッチＳＷ１に送られると、スイッチＳＷ１がＯＦＦになり、コンタクトＣＴ１と分岐路ＡＣ３とが非接続となる。信号制御部１１は、スイッチＳＷ１をＯＮ又はＯＦＦにする信号を、スイッチＳＷ１ごとに送ることにより、スイッチＳＷ１ごとにＯＮ又はＯＦＦを切り変える。
【００２７】
図４は、電源接続機器１及び管理装置３の信号処理に関連するハードウェアの構成を例示する図である。すなわち、図４では、電気機器２に電力を供給する導電路は除外し、電源接続機器１の電流センサＣＳ１で検出される検出値を処理するシステムのハードウェア構成が例示されている。
【００２８】
電源接続機器１は、通信制御部１０、信号制御部１１及びＡＤ（Analog/Digital）変換部１２を有する。電源接続機器１内の通信制御部１０は、それぞれの電流センサＣＳ１での検出値を、アダプタＵＡ１に出力する。電源接続機器１内のＡＤ変換部１２は、電流センサＣＳ１の検出値をアナログ信号からデジタル信号に変換し、通信制御部１０に引き渡す。
【００２９】
通信制御部１０は、管理装置３との間で通信を行うインターフェースであり、ＡＤ変換部１２から引き渡された信号を、例えば、アダプタＵＡ１を介して管理装置３に引き渡す。なお、通信制御部１０が出力する検出値は、例えば、所定の順序で４つの検出値を配列したベクトルデータとしてもよい。したがって、電流センサＣＳ１のそれぞれの検出値は、並び順によって、どのコンセントＣ１の検出値であるかが特定されることになる。なお、電源接続機器１が、電流センサＣＳ１の検出信号を読みとり、処理する処理部を有する場合、４つの検出値に、それぞれコンセントＣ１を識別する識別情報を付与して出力してもよい。したがって、電流センサＣＳ１のそれぞれの検出値は、付与された識別情報によって、どのコンセントＣ１の検出値であるかが特定されることになる。
【００３０】
また、電源接続機器１内に、コンセントＣ１ごとに通信制御部１０を設けるようにしてもよい。コンセントＣ１ごとに設けられた通信制御部１０が検出値を出力することによって、どのコンセントＣ１の検出値であるかを特定することが可能となる。通信制御部１０は、電流センサＣＳ１での検出値を電力値に換算し、アダプタＵＡ１に出力してもよい。通信制御部１０は、例えば、ＬＡＮ基板、ＮＩＣ（Network Interface Card）である。ただし、通信制御部１０は、無線ＬＡＮのインターフェース、Bluetooth（登録商標）のイ
ンターフェース等であってもよい。
【００３１】
信号制御部１１は、スイッチＳＷ１に所定の信号を送ることにより、スイッチＳＷ１のオン状態又はオフ状態を切り変える。信号制御部１１は、ＣＰＵ（Central Processing Unit）及びＲＯＭ（Read Only Memory）を有していてもよい。そして、信号制御部１１は
、ＲＯＭに格納されたプログラムを読み込むことにより、ＳＷ１の制御処理を行ってもよい。また、信号制御部１１は、ＳＷ１の制御処理を行う制御回路であってもよい。
【００３２】
管理装置３は、ＣＰＵ３１、メモリ３２、通信制御部３３、ドライブ装置３４、ＨＤＤ（ハードディスク駆動装置）３５、表示制御部３６、タイマ３９を有する。さらに、管理装置３は、表示装置３７、入力装置３８等を接続可能である。
【００３３】
ＣＰＵ３１は、メモリ３２に実行可能に展開された管理プログラムを実行し、管理装置３の機能を提供する。メモリ３２は、主記憶装置とも呼ばれ、例えば、ＣＰＵ３１が実行する管理プログラム、あるいは、電源接続機器１の各電流センサＣＳ１の検出値等、各検出値から算出した電力値、その他の管理データ等を記憶する。メモリ３２は、例えば、揮発性のＲＡＭ（Random Access Memory）、不揮発性のＲＯＭである。
【００３４】
通信制御部３３は、電源接続機器１の通信制御部１０と通信可能なインターフェースである。通信制御部３３は、電源接続機器１で検出された検出値を電源接続機器１の通信制御部１０から受け取り、メモリ３２に記憶する。
【００３５】
ドライブ装置３４は、着脱可能な記憶媒体の入出力装置であり、例えば、フラッシュメモリカードの入出力装置、ＵＳＢメモリを接続するＵＳＢのアダプタ等である。ただし、ドライブ装置３４は、例えば、ＣＤ（Compact Disc）、ＤＶＤ（Digital Versatile Disk）、ブルーレイディスク（Blu-ray Disc）等のディスク媒体の駆動装置であってもよい。ドライブ装置３４は、着脱可能な記憶媒体から管理プログラムを読み出し、ＨＤＤ３５に格納する。
【００３６】
ＨＤＤ３５は、外部記憶装置ということもできる。外部記憶装置としては、ＳＳＤ（Solid State Drive）等であってもよい。ＨＤＤ３５は、ドライブ装置３４との間で、デー
タを授受する。例えば、ＨＤＤ３５は、ドライブ装置３４からインストールされる管理プログラム等を記憶する。また、ＨＤＤ３５は、管理プログラムを読み出し、メモリ３２に引き渡す。また、ＨＤＤ３５は、電源接続機器１で検出された検出値、その他の管理データをメモリ４２から受け取り、不揮発性データとして保持する。表示制御部３６は、表示装置３７の制御回路を有し、ＣＰＵ３１が処理した結果のデータ等を表示装置３７に表示する。
【００３７】
表示装置３７は、例えば、液晶ディスプレイ、エレクトロルミネッセンスパネル、プラズマディスプレイパネル、ＣＲＴ（Cathode Ray Tube）等である。入力装置３８は、例えば、キーボード、ポインティングデバイス等を含む。ポインティングデバイスとしては、マウス、タッチパネル等を例示できる。なお、表示装置３７、入力装置３８を管理装置３に接続する代わりに、図１に示した管理者端末５の表示装置及び入力装置を用いて、管理装置３の表示機能、入力機能を提供してもよい。タイマ３９は、現在の時刻を管理し、所定時刻からの経過時間を測定する。
【００３８】
なお、管理者端末５は、例えば、ＣＰＵ、主記憶装置、外部記憶装置、通信装置、着脱可能な記憶媒体の駆動装置等を含むコンピュータである。さらに、管理者端末５は、キーボード、ポインティングデバイス等の入力装置、表示装置等を有する。管理者端末５は、例えば、パーソナルコンピュータ等である。ただし、管理者端末５は、携帯情報端末、携帯電話、スマートフォン、電子ブック等であってもよい。
【００３９】
図５に、管理装置３の機能ブロック図を例示する。管理装置３は、電力収集部３１１、制御部３１２及び通信部３１３の各機能部を有し、本システムの管理処理機能を提供する。電力収集部３１１は、例えば、電気機器２の消費電力値を収集し、管理装置３の外部記憶装置に記憶されている各種のテーブルに、収集した消費電力値を収集時刻とともに格納する。制御部３１２は、例えば、電気機器２が有する二次電池の充電状態を監視し、電源接続機器１に対してスイッチＳＷ１のＯＮ又はＯＦＦの切り変え制御を行うことにより、電気機器２が有する二次電池の充電の開始や停止を制御する。通信部３１３は、例えば、ユーザ端末６との通信や電気機器２との通信を行う。以上の各機能部は、ＣＰＵ３１がメモリ３２上に実行可能に展開されたコンピュータプログラムを実行することで提供される。
【００４０】
＜システムが提供する機能の例＞
図６に、本システムによる消費電力値の収集処理の例を示す。以下は、管理装置３によって行われる消費電力値の収集処理の一例である。以下の例では、電気機器２の一例であるノート型ＰＣのプラグが、電源接続機器１のコンセントＣ１に接続されているものとして説明する。
【００４１】
図７に、収集時刻、消費電力、差分値及び状態フラグの各フィールドを有するテーブルの例を示す。図７に示すテーブルの収集時刻のフィールドには、電気機器２の消費電力値を電力収集部３１１が収集した時刻が格納されている。電力収集部３１１は、一定の周期（図６及び図７では、１０分周期）で、電気機器２の消費電力値を収集してもよい。例えば、１０分の周期の場合、電力収集部３１１は、１０分間の平均電力値を収集してもよい。ただし、平均電力値の他に、最大値、最小値等を用いてもよい。また、例えば、電力収集部３１１は、収集時刻の各始点での電力値を収集してもよい。
【００４２】
図７に示すテーブルの消費電力のフィールドには、電力収集部３１１が収集した電気機器２の消費電力値が格納されている。電気機器２の消費電力には、電気機器２の操作、動作、処理等のために消費される電力の他、電気機器２が有する二次電池に蓄積される電力が含まれる。
【００４３】
図７に示すテーブルの差分値のフィールドには、消費電力値の前回値から消費電力値の今回値を引いた値が格納されている。ここで、消費電力値の前回値及び消費電力値の今回値について説明する。上述したように、電力収集部３１１は、一定の周期で、電気機器２の消費電力値を収集している。
【００４４】
例えば、（２）収集時刻２２：００を基準とした場合、（２）収集時刻２２：００が、収集時刻の今回値となり、（１）収集時刻２１：５０が、収集時刻の前回値となる。そして、（２）収集時刻２２：００で収集された消費電力値が、消費電力値の今回値となり、（１）収集時刻２１：５０で収集された消費電力値が、消費電力値の前回値となる。
【００４５】
また、例えば、（３）収集時刻２２：１０を基準とした場合、（３）収集時刻２２：１０が、収集時刻の今回値となり、（２）収集時刻２２：００が、収集時刻の前回値となり、（１）収集時刻２１：５０が、収集時刻の前々回値となる。そして、（３）収集時刻２２：１０で収集された消費電力値が、消費電力値の今回値となり、（２）収集時刻２２：００で収集された消費電力値が、消費電力値の前回値となり、（１）収集時刻２１：５０で収集された消費電力値が、消費電力値の前々回値となる。
【００４６】
図７に示すテーブルの状態フラグのフィールドには、消費電力値の今回値について、消費電力値の前回値と比較した場合の変化の状態を示す情報が格納されている。消費電力値の今回値が、消費電力値の前回値に対して変化がない場合、状態フラグのフィールドには無変化を示す情報が格納される。消費電力値の今回値が、消費電力値の前回値と比較して上昇している場合、状態フラグのフィールドには上昇（ＵＰ）を示す情報が格納される。消費電力値の今回値が、消費電力値の前回値と比較して下降している場合、状態フラグのフィールドには下降（ＤＯＷＮ）を示す情報が格納される。
【００４７】
図７に示すように、（１）収集時刻２１：５０及び（２）収集時刻２２：００の状態フラグの各フィールドには、無変化を示す情報が格納されている。また、図７に示すように、（３）収集時刻２２：１０の状態フラグのフィールドには、下降（ＤＯＷＮ）を示す情報が格納されている。
【００４８】
図７の（６）収集時刻１：００から収集時刻１：２０の消費電力値が０（Ｗ）にならないのは、電気機器２が有する二次電池の充電完了後も電気機器２に給電されているためである。例えば、電気機器２が有する二次電池の充電が完了しても、二次電池の充電の状況を表示する表示器の点灯の際に電力が使用されるため、二次電池の充電完了後も一定の消費電力となる。
【００４９】
電気機器２に対して常に電力供給が行われている状態、例えば、電気機器２のプラグがコンセントに挿入されている状態で、電気機器２が放置されている場合、電気機器が有する二次電池は常に満充電の状態となる。満充電の状態で、電気機器が有する二次電池の充電が行われると、二次電池の放電と充電とが繰り返され、二次電池にストレスが蓄積する。したがって、電気機器２が有する二次電池の充電が完了した場合には、電気機器２への電力供給を停止して、二次電池に対して負荷をかけないことが好ましい。しかしながら、電気機器２が有する二次電池の充電が完了した後、電気機器２が使用されることにより、二次電池の充電残量が少なくなる場合がある。電気機器２が有する二次電池の充電残量が少なくなっているにもかかわらず、電気機器２への電力供給を停止することは、電気機器２を使用するユーザにとって好ましいことではない。
【００５０】
本システムでは、例えば、図６の（Ｃ）の時刻や（Ｅ）の時刻において、電気機器２が有する二次電池の充電状況を把握し、二次電池の充電が完了に近づいている場合や二次電池の充電が完了している場合には、電気機器２に対する電力供給を停止することにより、二次電池の充電を停止する。また、本システムでは、例えば、図６の（Ｃ）の時刻や（Ｅ）の時刻において、電気機器２が有する二次電池の充電状況を把握し、二次電池の充電が完了に近づいていない場合や二次電池の充電が完了してない場合には、電気機器２に対する電力供給を継続することにより、二次電池の充電を継続する。
【００５１】
また、本システムでは、例えば、図６の（Ｇ）の時刻（機器使用時刻又は起動予測時刻）においては、電気機器２に対して電力供給を停止せずに、電気機器２に対する電力供給を継続する。図６に示す時刻９：００が電気機器２の使用時刻である場合、図６の（Ｇ）の時刻は、電気機器２の使用時刻に近いため、電気機器２が有する二次電池の充電状態にかかわらず、電気機器２に対して電力供給を行う。
【００５２】
＜テーブルの構成＞
以下、管理装置３がデータを入出力するテーブルの構成を例示する。各テーブルは、管理装置３の外部記憶装置に記憶される。
【００５３】
図８の（Ａ）は、システム設定値テーブル３２０の構成例である。システム設定値テーブル３２０は、収集時間、最低経過時間、最大時間、充電最小時間、コンセント制御収集時間及び消費電力値のラウンド幅の各フィールドを有する。
【００５４】
収集時間は、電源接続機器１の各コンセントＣ１に接続された電気機器２で消費される電力を一定の周期で収集する際の時間を定義する。収集時間を、例えば、１０分、５分又は１分等に設定してもよい。最低経過時間は、電気機器２が有する二次電池の充電が完了したか否かを判定するための時間を定義する。電気機器２が有する二次電池の充電時間が最低経過時間を経過した場合、電気機器２が有する二次電池の充電が完了したものとする。最低経過時間を、例えば、３０分に設定してもよい。ただし、電気機器２が有する二次電池の充電が開始されて充電が完了するまでの時間は、二次電池の種類によって変わるものであるため、最低経過時間は、二次電池の種類によって設定することが好ましい。
【００５５】
最大時間は、コンセントスイッチ（ＳＷ）制御処理へ移行するための待ち時間を定義する。コンセントＳＷ制御処理では、スイッチＳＷ１をオン状態又はオフ状態に切り変えることにより、電気機器２が有する二次電池の充電の開始又は停止を制御する。最大時間を、例えば、９０分に設定してもよい。
【００５６】
充電最小時間は、起動予測時刻よりも前に電気機器２が有する二次電池の充電を開始する時刻を算出するための時間を定義する。充電最小時間を、例えば、３０分に設定してもよい。
【００５７】
コンセント制御収集時間は、コンセントＳＷ制御処理において、スイッチＳＷ１をオン状態にした後の待機時間である。スイッチＳＷ１をオン状態にした直後に、電力収集部３１１が電気機器２の消費電力値を収集すると、突入電流によって消費電力値が大きい値となる場合がある。そのため、所定時間の後に、電力収集部３１１が電気機器２の消費電力値を収集することにより、突入電流の影響を回避する。
【００５８】
消費電力値のラウンド幅は、一方の消費電力値と他方の消費電力値とを比較する場合における同一値の許容度を定義する。すなわち、一方の消費電力値と他方の消費電力値とが完全に一致していなくとも、一方の消費電力値と他方の消費電力値との差分値が所定範囲であれば、一方の消費電力値と他方の消費電力値とは同一値であるとしてもよい。消費電力値のラウンド幅として、例えば、±１０％を設定してもよいし、±５％を設定してもよい。一方の消費電力値と他方の消費電力値とを比較する際に、一方の消費電力値に対して消費電力値のラウンド幅を設定してもよいし、両方の消費電力値に対して消費電力値のラウンド幅を設定してもよい。
【００５９】
図８の（Ｂ）は、ユーザ情報テーブル３２１の構成例である。ユーザ情報テーブル３２１は、コンセントＩＤ、ユーザＩＤ、パスワード、収集時間、閾値決定時間、最大時間、最低経過時間及び消費電力値のラウンド幅の各フィールドを有する。コンセントＩＤ、ユーザＩＤ及びパスワードは、ユーザから提供されるユーザ情報である。コンセントＩＤは、コンセントＣ１を一意に識別するための識別番号である。ユーザＩＤは、ユーザを一意に識別するための識別番号である。ユーザＩＤ及びパスワードは、ユーザのスケジュール情報を収集する際に必要な情報である。
【００６０】
本システムでは、ユーザが、コンセントＩＤで特定されるコンセントＣ１と接続される電気機器２の使用開始時刻（起動開始時刻）を基準として、電気機器２が有する二次電池の充電の開始や停止を制御する。電気機器２の使用開始時刻を収集するために、ユーザのスケジュール情報を収集する必要がある場合、ユーザＩＤ及びパスワードを用いて、ユーザのスケジュール情報を収集する。収集時間、最低経過時間、最大時間、充電最小時間、コンセント制御収集時間及び消費電力値のラウンド幅については、システム設定値テーブル３２０と同様である。
【００６１】
図９の（Ａ）は、開始時刻テーブル３２２の構成例である。開始時刻テーブル３２２の開始時刻のフィールドには、収集時間の開始時刻（ｈｈ：ｍｍ：ｓｓ）を格納する。
【００６２】
図９の（Ｂ）は、消費電力テーブル３２３の構成例である。消費電力テーブル３２３は、収集時刻及び消費電力の各フィールドを有しており、収集時刻及び消費電力の各フィールドには、前回値及び今回値の欄がそれぞれ設けられている。図９の（Ｂ）に示す消費電力テーブル３２３は、消費電力値を収集する毎に更新され、更新前の今回値の欄に格納されていた情報が、更新後の前回値の欄に格納される。すなわち、消費電力テーブル３２３の収集時刻のフィールドにおける前回値の欄には更新前の収集時刻の今回値（Ｔｎ）が格納されて前回値（Ｔｌ）となり、消費電力テーブル３２３の消費電力のフィールドにおける前回値の欄には更新前の消費電力値の今回値（Ｐｎ）が格納されて前回値（Ｐｌ）となる。消費電力テーブル３２３の収集時刻のフィールドにおける今回値の欄には現在時刻（Ｔｎ）が格納され、消費電力テーブル３２３の消費電力のフィールドにおける今回値の欄には、現在時刻（Ｔｎ）で収集された消費電力値（Ｐｎ）が格納される。
【００６３】
図９の（Ｃ）は、状態フラグテーブル３２４の構成例である。状態フラグテーブル３２４は、収集時刻、消費電力、差分値及び状態フラグの各フィールドを有しており、収集時刻、消費電力、差分値及び状態フラグの各フィールドには、前回値及び今回値の欄がそれ
ぞれ設けられている。状態フラグテーブル３２４の収集時刻及び消費電力の各フィールドは、消費電力テーブル３２３と同様である。
【００６４】
状態フラグテーブル３２４は消費電力値を収集する毎に更新され、更新前の今回値の欄に格納されていた情報が、更新後の前回値の欄に格納される。すなわち、状態フラグテーブル３２４の収集時刻の前回値フィールドには更新前の今回値（Ｔｎ）が格納されて前回値（Ｔｌ）となり、消費電力の前回値フィールドには更新前の今回値（Ｐｎ）が格納されて前回値（Ｐｌ）となり、差分値の前回値フィールドには更新前の今回値（Ｐｄ２）が格納されて前回値（Ｐｄ１）となり、状態フラグの前回値フィールドには更新前の今回値（Ｆｎ）が格納されて前回値（Ｆｌ）となる。
【００６５】
状態フラグテーブル３２４の差分値フィールドにおける今回値には、消費電力値の前回値から消費電力値の今回値を減算した差分値（Ｐｄ２）が格納される。状態フラグテーブル３２４の状態フラグフィールドにおける今回値の欄には、消費電力値の前回値と消費電力値の今回値とを比較した場合において、消費電力値の今回値の変化を示す状態フラグ（Ｆｎ）が格納される。状態フラグ（Ｆｎ）は、ＵＰフラグ、ＤＯＷＮフラグ又は無変化フラグのいずれかである。
【００６６】
図１０の（Ａ）及び（Ｂ）は、状態管理テーブル３２５の構成例である。状態管理テーブル３２５は、開始時刻、終了時刻、経過時間、開始消費電力、終了消費電力及び状態フラグの各フィールドを有している。状態管理テーブル３２５における開始時刻、終了時刻、経過時間、開始消費電力、終了消費電力及び状態フラグの各フィールドには、前回値及び今回値の欄がそれぞれ設けられている。状態フラグの前回値、及び、状態フラグの今回値については、既に説明した。図１０の（Ａ）に示す状態管理テーブル３２５は、状態フラグの前回値と、状態フラグの今回値とが同じ場合の格納例を示しており、図１０の（Ｂ）に示す状態管理テーブル３２５は、状態フラグの前回値と、状態フラグの今回値とが異なる場合の格納例を示している。図１０の（Ａ）及び（Ｂ）に示す状態管理テーブル３２５は、消費電力値を収集する毎に更新され、更新前の今回値の欄に格納されていた情報が、更新後の前回値の欄に格納される。
【００６７】
図１０の（Ａ）に示す状態管理テーブル３２５の開始時刻のフィールドの前回値の欄には、更新前の開始時刻の今回値がコピーされて格納される。更新前の開始時刻の今回値は、消費電力値が同じ傾向状態を継続する場合において、その傾向状態が始まった時刻（Ｔｓ）である。図１０の（Ａ）に示す状態管理テーブル３２５の開始時刻のフィールドの欄には、消費電力値が同じ傾向状態を継続する場合において、その傾向状態が始まった時刻（Ｔｓ）が格納される。消費電力値が同じ傾向状態を継続する場合、状態管理テーブル３２５の開始時刻のフィールドにおける前回値と今回値とは同じ値となる。消費電力値が違う傾向状態に変化した場合は、状態管理テーブル３２５の開始時刻のフィールドにおける今回値は、状態管理テーブル３２５の終了時刻のフィールドにおける前回値、すなわち前回の収集時刻（ＴＩ）がコピーされて格納される。
【００６８】
図１０の（Ａ）に示す状態管理テーブル３２５の終了時刻のフィールドの前回値の欄には、更新前の終了時刻の今回値がコピーされて格納される。図１０の（Ａ）に示す状態管理テーブル３２５の終了時刻のフィールドの今回値の欄には、今回の収集時刻である現在時刻（Ｔｎ）が格納される。
【００６９】
図１０の（Ａ）に示す状態管理テーブル３２５の経過時間のフィールドの前回値の欄には、更新前の経過時間がコピーされて格納される。図１０の（Ａ）に示す状態管理テーブル３２５の経過時間のフィールドの今回値の欄には、終了時刻（Ｔｎ）から開始時刻（Ｔｓ）を減算した時間（Ｔｎ−Ｔｓ）が格納される。
【００７０】
図１０の（Ａ）に示す状態管理テーブル３２５の開始消費電力のフィールドの前回値の欄には、更新前の開始消費電力値の今回値がコピーされて格納される。図１０の（Ａ）に示す状態管理テーブル３２５の開始消費電力のフィールドの今回値の欄には、消費電力値が同じ傾向状態を継続する場合において、その傾向状態が始まった時刻の消費電力値（Ｐｓ）が格納される。消費電力値が同じ傾向状態を継続する場合、状態管理テーブル３２５の開始消費電力のフィールドには、前回値と同じ値が今回値に格納される。
【００７１】
図１０の（Ａ）に示す状態管理テーブル３２５の終了消費電力のフィールドの前回値の欄には、更新前の終了消費電力値がコピーされて格納される。図１０の（Ａ）に示す状態管理テーブル３２５の終了消費電力のフィールドにおける今回値の欄には、現在時刻（Ｔｎ）で収集された消費電力値（Ｐｎ）が格納される。図１０の（Ａ）のＰｌは、現在時刻（Ｔｎ）から収集時間を減算した時刻（Ｔｌ＝Ｔｎ−収集時間）で収集された消費電力値である。
【００７２】
図１０の（Ａ）に示す状態管理テーブル３２５の状態フラグのフィールドの前回値の欄には、更新前の状態フラグの今回値がコピーされて格納される。図１０の（Ａ）に示す状態管理テーブル３２５の状態フラグのフィールドの今回値の欄には、消費電力値が同じ傾向状態を継続する場合における状態フラグの今回値（ＵＰフラグ／ＤＯＷＮフラグ／無変化フラグ）が格納される。
【００７３】
図１０の（Ｂ）に示す状態管理テーブル３２５の開始時刻のフィールドの前回値の欄には、更新前の開始時刻の今回値がコピーされて格納される。なお、更新前の開始時刻の今回値は、消費電力値の傾向状態が変化した場合において、傾向状態が変化した以前の傾向状態が始まった時刻（Ｔｓ）、或いは、現在時刻（Ｔｎ）から収集時間を減算した時刻（Ｔｌ＝Ｔｎ−収集時間）から、収集時間を減算した時刻（Ｔｌ−収集時間）である。図１０の（Ｂ）に示す状態管理テーブル３２５の開始時刻のフィールドの今回値の欄には、現在時刻（Ｔｎ）から収集時間を減算した時刻（Ｔｌ＝Ｔｎ−収集時間）が格納される。
【００７４】
図１０の（Ｂ）に示す状態管理テーブル３２５の終了時刻のフィールドの前回値の欄には、更新前の終了時刻の今回値がコピーされて格納される。図１０の（Ｂ）に示す状態管理テーブル３２５の終了時刻のフィールドの今回値の欄には、現在時刻（Ｔｎ）が格納される。
【００７５】
図１０の（Ｂ）に示す状態管理テーブル３２５の経過時間のフィールドの前回値の欄には、更新前の経過時間の今回値がコピーされて格納される。図１０の（Ｂ）に示す状態管理テーブル３２５の経過時間のフィールドの今回値の欄には、終了時刻（Ｔｎ）から開始時刻（Ｔｌ）を減算した時間（Ｔｎ−Ｔｌ）が格納される。
【００７６】
図１０の（Ｂ）に示す状態管理テーブル３２５の開始消費電力のフィールドの前回値の欄には、更新前の開始消費電力値の今回値がコピーされて格納される。更新前の開始消費電力値の今回値は、消費電力値の傾向状態が変化した場合において、傾向状態が変化した以前の傾向状態が始まった時刻（Ｔｓ）で収集された消費電力値（Ｐｓ）、或いは、現在時刻（Ｔｎ）から収集時間を減算した時刻（Ｔｌ＝Ｔｎ−収集時間）で収集された消費電力値（Ｐｌ）である。図１０の（Ｂ）に示す状態管理テーブル３２５の開始消費電力のフィールドの今回値の欄には、終了消費電力値の前回値がコピーされて格納される。
【００７７】
図１０の（Ｂ）に示す状態管理テーブル３２５の終了消費電力のフィールドの前回値の欄には、更新前の終了消費電力値の今回値がコピーされて格納される。更新前の終了消費電力値の今回値は、現在時刻（Ｔｎ）から収集時間を減算した時刻（Ｔｌ＝Ｔｎ−収集時
間）で収集された消費電力値（Ｐｌ）である。図１０の（Ｂ）に示す状態管理テーブル３２５の終了消費電力のフィールドの今回値の欄には、現在時刻（Ｔｎ）で収集された消費電力値（Ｐｎ）が格納される。
【００７８】
図１０の（Ｂ）に示す状態管理テーブル３２５の状態フラグのフィールドの前回値の欄には、更新前の状態フラグの今回値がコピーされて格納される。図１０の（Ｂ）に示す状態管理テーブル３２５の状態フラグのフィールドの今回値の欄には、消費電力値の傾向状態が変化した場合における状態フラグの今回値（ＵＰフラグ／ＤＯＷＮフラグ／無変化フラグ）が格納される。
【００７９】
図１１の（Ａ）は、最小消費電力テーブル３２６の構成例である。最小消費電力テーブル３２６は、電気機器２が有する二次電池の充電が完了したか否かを判定するために用いられるテーブルである。最小消費電力テーブル３２６は、開始時刻、終了時刻、経過時間及び消費電力の各フィールドを有している。最小消費電力テーブル３２６の開始時刻のフィールドには、消費電力値が無変化の傾向状態を継続する場合において、無変化の傾向状態が始まった時刻（Ｔｓ）が格納される。最小消費電力テーブル３２６の終了時刻のフィールドには、現在時刻（Ｔｎ）が格納される。最小消費電力テーブル３２６の経過時間のフィールドには、終了時刻（Ｔｎ）から開始時刻（Ｔｓ）を減算した時間（Ｔｎ−Ｔｓ）が格納される。最小消費電力テーブル３２６の消費電力のフィールドには、二次電池の充電が完了したときの消費電力値（Ｐｎ＝Ｐｍｉｎ）が格納される。
【００８０】
図１１の（Ｂ）は、充電確認ポイント予備テーブル３２７の構成例である。充電確認ポイント予備テーブル３２７は、電気機器２が有する二次電池の充電状況を確認するための時刻を決定するために用いられるテーブルである。充電確認ポイント予備テーブル３２７は、開始時刻及び消費電力の各フィールドを有している。開始時刻及び消費電力の各フィールドは、それぞれ充電確認ポイント１及び充電確認ポイント２の欄が設けられている。
【００８１】
図１１の（Ｃ）は、充電確認ポイントテーブル３２８の構成例である。充電確認ポイントテーブル３２８は、電気機器２が有する二次電池の充電状況を確認するための時刻を決定するために用いられるテーブルである。
【００８２】
図１２の（Ａ）は、スケジューラ収集時刻テーブル３２９の構成例である。スケジューラ収集時刻テーブル３２９の機器使用時刻のフィールドには、機器使用時刻Ｓ１が格納される。機器使用時刻Ｓ１は、例えば、電気機器の２の利用予定開始時刻、ユーザの出勤予定時刻、ユーザの外出予定時刻及びユーザの出張予定時刻等である。電気機器の２の利用予定開始時刻、ユーザの出勤予定時刻、ユーザの外出予定時刻及びユーザの出張予定時刻等は、ユーザのスケジュール情報から取得される。
【００８３】
図１２の（Ｂ）は、機器使用時刻テーブル３３０の構成例である。機器使用時刻テーブル３３０には、機器使用時刻Ｓ２が格納される。図１２の（Ｃ）は、起動予測時刻テーブル３３１の構成例である。起動予測時刻テーブル３３１には、起動予測時刻Ｓ１又はＳ２が格納される。
【００８４】
＜処理フロー＞
図１３及び図１４に、管理装置３による二次電池の充電管理処理のフローチャートを例示する。管理装置３は、主記憶装置に実行可能に展開されたコンピュータプログラムにより二次電池の充電管理処理を実行する。
【００８５】
図１３のＳ０１において、二次電池の充電管理処理を実行する前提として、電気機器２を使用するユーザは、ユーザ情報の登録の手続きを行う。ユーザ情報の登録の手続きが終
ると、図１３のＳ０２の処理に進む。ユーザ情報の登録の手続きについては後述する。
【００８６】
図１３のＳ０２において、管理装置３の制御部３１２は、ユーザが、電気機器２を、管理装置３に提供したユーザ情報に含まれるコンセントＩＤに対応するコンセントＣ１に接続したことを検知する。この際、ユーザが電気機器２に接続されている電源ケーブルのプラグをコンセントＣ１に挿入すると、電源接続機器１は電流センサＣＳ１によって検出された電流値を管理装置３に送信する。言い換えると、管理装置３の制御部３１２は、Ｓ０２においてユーザが電気機器２のプラグをコンセントＣ１に挿入されるまで待つ。
【００８７】
次に、図１３のＳ０３において、管理装置３の制御部３１２は、タイマ３９を参照し、電源接続機器１から送信された電流値を最初に受信した時刻を、開始時刻テーブル３２２の開始時刻のフィールドに記憶する。開始時刻テーブル３２２は、機器ＩＤ及びコンセントＩＤ毎に作成され、管理装置３の外部記憶装置に記憶される。
【００８８】
なお、電源接続機器１は、検知回路を有していてもよい。電源接続機器１の検知回路は、電気機器２に接続されている電源ケーブルのプラグがコンセントＣ１に挿入されているか否かを検知する。電源接続機器１の検知回路は、例えば、電気機器２に接続されている電源ケーブルのプラグがコンセントＣ１に挿入されているか否かをパルス信号によって検知してもよい。電源接続機器１の検知回路は、電気機器２に接続されている電源ケーブルのプラグにパルス信号を送信し、送信したパルス信号に対する応答が返ってくると、検知回路は、電気機器２に接続されている電源ケーブルのプラグがコンタクトに挿入されていると検知してもよい。ただし、これに限らず、検知回路は、電気機器２に接続されている電源ケーブルのプラグがコンセントＣ１に挿入されているか否かを光学センサによって検知してもよいし、マイクロスイッチ等によって機械的に検知してもよい。
【００８９】
電気機器２に接続されている電源ケーブルのプラグがコンセントＣ１に挿入されると、電源接続機器１の検知回路は、電気機器２に接続されている電源ケーブルのプラグがコンセントＣ１に挿入されたことを検知する。そして、電源接続機器１の検知回路は、電気機器２に接続されている電源ケーブルのプラグがコンセントＣ１に挿入されたことを示す検知信号を、通信制御部１０に送信する。通信制御部１０は、電気機器２に接続されている電源ケーブルのプラグがコンセントＣ１に挿入されたことを検知して、管理装置３に検知信号を送信する。管理装置３の制御部３１２は、電源接続機器１から送信された検知信号を最初に受信した時刻を、開始時刻テーブル３２２に記憶するようにしてもよい。
【００９０】
図１３のＳ０４において、管理装置３の制御部３１２は、サービスが停止したか否かを判定する。例えば、管理装置３がユーザ端末６からユーザ情報の登録の解除を受け付けた場合、管理装置３の制御部３１２は、サービスが停止したと判定してもよい。また、例えば、電源接続機器１と管理装置３との接続が切断された場合、管理装置３の制御部３１２は、サービスが停止したと判定してもよい。管理装置３の制御部３１２が、サービスの停止と判定した場合（図１３のＳ０４でＹＥＳ）、二次電池の充電管理処理を終了する。
【００９１】
一方、管理装置３の制御部３１２が、サービスの継続と判定した場合（図１３のＳ０４でＮＯ）、図１３のＳ０５の処理に進む。図１３のＳ０５において、管理装置３の制御部３１２は、タイマ３９を参照し、開始時刻テーブル３２２に記憶されている開始時刻から現在時刻までの経過時間が、ユーザ情報テーブル３２１に記憶されている収集時間を越えているか否かを判定する。
【００９２】
開始時刻テーブル３２２に記憶されている開始時刻から現在時刻までの経過時間が、ユーザ情報テーブル３２１に記憶されている収集時間を越えている場合（図１３のＳ０５でＹＥＳ）、図１３のＳ０６において、管理装置３は、消費電力収集処理を行う。消費電力
収集処理は、管理装置３の電力収集部３１１が、電気機器２の消費電力値を収集する処理である。消費電力収集処理の詳細については、後述する。一方、開始時刻テーブル３２２に記憶されている開始時刻から現在時刻までの経過時間が、ユーザ情報テーブル３２１に記憶されている収集時間を越えていない場合（図１３のＳ０５でＮＯ）、図１３のＳ０４の処理に進む。
【００９３】
消費電力収集処理が終了すると、図１３のＳ０７の処理に進む。図１３のＳ０７において、管理装置３は、状態フラグテーブル処理を行う。状態フラグテーブル処理は、管理装置３の制御部３１２が、状態フラグテーブル３２４に、収集時刻、消費電力値、差分値及び状態フラグに関する情報を格納する処理である。状態フラグテーブル処理の詳細については、後述する。状態フラグテーブル処理が終了すると、図１３のＳ０８において、管理装置３は、状態管理テーブル処理を行う。状態管理テーブル処理は、管理装置３の制御部３１２が、状態管理テーブル３２５に、開始時刻、終了時刻、経過時間、開始消費電力値、終了消費電力値及び状態フラグに関する情報を格納する処理である。状態管理テーブル処理の詳細については、後述する。
【００９４】
状態管理テーブル処理が終了すると、図１４のＳ０９において、管理装置３は、最小消費電力テーブル処理を行う。最小消費電力テーブル処理は、管理装置３の制御部３１２が、最小消費電力テーブル３２６に、開始時刻、終了時刻、経過時間及び最小消費電力値に関する情報を格納する処理である。最小消費電力テーブル処理の詳細については、後述する。最小消費電力テーブル処理が終了すると、管理装置は、図１４のＳ１０において、機器使用開始時刻テーブル処理を行う。機器使用開始時刻テーブル処理は、管理装置３の制御部３１２が、機器使用時刻テーブル３３０に、機器使用時刻Ｓ２を格納する処理である。機器使用開始時刻テーブル処理の詳細については、後述する。
【００９５】
機器使用開始時刻テーブル処理が終了すると、図１４のＳ１１において充電確認ポイント予備テーブル処理を行う。充電確認ポイント予備テーブル処理は、管理装置３の制御部３１２が、充電確認ポイント予備テーブル３２７に、開始時刻（Ｔｓ１、Ｔｓ２）及び消費電力値（Ｐｓ１、Ｐｓ２）に関する情報を格納する処理である。消費電力値Ｐｓ１は、消費電力値Ｐｓ２よりも大きい値である。消費電力値Ｐｓ１及び消費電力値Ｐｓ２は、消費電力値Ｐｍｉｎよりも大きい値である。充電確認ポイント予備テーブル処理の詳細については、後述する。
【００９６】
充電確認ポイント予備テーブル処理が終了すると、管理装置３は、図１４のＳ１２において、起動予測時刻処理を行う。起動予測時刻処理は、管理装置３の制御部３１２が、起動予測時刻テーブル３３１に、機器使用時刻Ｓ１又はＳ２を格納する処理である。起動予測時刻処理の詳細については、後述する。起動予測時刻処理が終了すると、図１４のＳ１３の処理に進む。図１４のＳ１３において、管理装置３の制御部３１２は、起動予測時刻テーブル３３１に記憶されている起動予測時刻から現在時刻を減算した時間が、システム設定値テーブル３２０に記憶されている充電最小時間より大きいか否かを判定する。
【００９７】
起動予測時刻テーブル３３１に記憶されている起動予測時刻から現在時刻を減算した時間が、システム設定値テーブル３２０に記憶されている充電最小時間より大きくない場合（図１４のＳ１３でＮＯ）、図１３のＳ０４の処理に進む。
【００９８】
一方、起動予測時刻テーブル３３１に記憶されている起動予測時刻から現在時刻を減算した時間が、システム設定値テーブル３２０に記憶されている充電最小時間より大きい場合（図１４のＳ１３でＹＥＳ）、図１４のＳ１４の処理に進む。図１４のＳ１４において、管理装置３の制御部３１２は、最小消費電力テーブル３２６に記憶されている経過時間が、システム設定値テーブル３２０に記憶されている最大時間より大きいか否かを判定す
る。最小消費電力テーブル３２６に記憶されている経過時間が、システム設定値テーブル３２０に記憶されている最大時間より大きくない場合（図１４のＳ１４でＮＯ）、図１３のＳ０４の処理に進む。
【００９９】
一方、最小消費電力テーブル３２６に記憶されている経過時間が、システム設定値テーブル３２０に記憶されている最大時間より大きい場合（図１４のＳ１４でＹＥＳ）、図１４のＳ１５の処理に進む。図１４のＳ１５において、管理装置３は、コンセントスイッチ制御処理を行う。コンセントスイッチ制御処理は、管理装置３の制御部３１２が、電気機器２のスイッチＳＷ１をＯＮ又はＯＦＦにする制御を行うことにより、電気機器２への電力供給の開始又は停止を行う処理である。コンセントスイッチ制御処理の詳細については、後述する。コンセントスイッチ制御処理が終ると、図１４のＳ０４の処理に進む。
【０１００】
〈ユーザ情報の登録手続処理〉
図１５を参照して、ユーザ情報の登録の手続き（登録手続処理）について説明する。まず、図１５のＳ０１において、電気機器２を使用するユーザは、ユーザ端末６を操作することにより、管理装置３にユーザ情報を提供する。例えば、ユーザ端末６が、管理装置３によって提供される登録サイト（ＷＥＢサイト）にアクセスし、ユーザ端末６の表示装置の画面上に表示されるＷＥＢページに、ユーザがユーザ情報を入力するようにしてもよい。また、例えば、ユーザ端末６によって送信されるＥメールを管理装置３が受け取り、Ｅメールの本文又は添付ファイルに記載されているユーザ情報を、管理装置３が受け取るようにしてもよい。上述したように、ユーザ情報は、コンセントＩＤ、ユーザＩＤ及びパスワードである。また、管理装置３にユーザ情報を提供する際に、ユーザは、希望するシステム設定値を管理装置３に提供してもよい。
【０１０１】
そして、図１５のＳ０２において、管理装置３の制御部３１２は、ユーザ情報を、システム設定値テーブル３２０に記憶されているシステム設定値とともに、ユーザ情報テーブル３２１に記憶する。この場合、管理装置３の制御部３１２は、ユーザ情報テーブル３２１に過去に記憶された情報であって、現在使用していない情報を削除するようにしてもよい。また、管理装置３が、ユーザの希望するシステム設定値の提供を受けている場合、管理装置３の制御部３１２は、ユーザ情報を、ユーザの希望するシステム設定値とともに、ユーザ情報テーブル３２１に記憶する。次に、図１５のＳ０３において、管理装置３の通信部３１３は、ユーザ情報の登録完了のメッセージをユーザ端末６に送信する。図１５のＳ０３の処理が行われると、ユーザ情報の登録手続処理が終了する。
【０１０２】
〈消費電力収集処理〉
消費電力収集処理（図１３のＳ０６）について、図１６を参照して詳述する。消費電力収集処理では、まず、図１６のＳ０１において、管理装置３の電力収集部３１１は、電気機器２の消費電力値の収集が２回目以降であるか否かを判定する。すなわち、管理装置３の電力収集部３１１は、消費電力テーブル３２３の収集時刻のフィールドにおける今回値の欄に、消費電力値（Ｐｎ）が格納されているか否かを判定する。電気機器２の消費電力値の収集が２回目以降である場合、図１６のＳ０２の処理に進む。一方、電気機器２の消費電力値の収集が２回目以降でない場合、図１６のＳ０３の処理に進む。
【０１０３】
図１６のＳ０２において、管理装置３の電力収集部３１１は、消費電力テーブル３２３の収集時刻のフィールドにおける今回値の欄に格納されている情報を、前回値の欄に格納する。図１６のＳ０３において、管理装置３の電力収集部３１１は、電源接続機器１から送信された電流値を、所定期間、収集する。所定期間は、例えば、５分、１分、１秒等であるが、ユーザ情報テーブル３２１に記憶されている収集時間を越えない値とする。管理装置３の電力収集部３１１は、収集した電流値を電力値に換算する。なお、電源接続機器１から送信された電流値を管理装置３の外部記憶装置に蓄積しておき、電力収集部３１１
は、外部記憶装置に蓄積されている電流値を収集するようにしてもよい。
【０１０４】
図１６のＳ０４において、管理装置３の電力収集部３１１は、電気機器２の消費電力値を、収集時刻とともに、消費電力テーブル３２３の今回値の欄に格納する。収集時刻は、所定期間内で消費電力値を収集した場合の所定期間の始期、終期、中間等のいずれの時刻であってもよいし、所定期間内における他の時刻であってもよい。消費電力テーブル３２３に格納される消費電力値は、収集時刻の電力値であってもよい。また、消費電力テーブル３２３に格納される消費電力値は、所定期間で収集した消費電力値の平均電力値であってもよい。また、平均電力値の他に、最大値、最小値等であってもよい。
【０１０５】
図１６のＳ０４の処理が行われると、消費電力収集処理が終了する。なお、管理装置３の電力収集部３１１は、電気機器２の消費電力値を収集した時点で、タイマ３９の現在時刻を、開始時刻テーブル３２２の開始時刻に設定（開始時刻をリセット）する。
【０１０６】
〈状態フラグテーブル処理〉
状態フラグテーブル処理（図１３のＳ０７）について、図１７を参照して詳述する。状態フラグテーブル処理では、まず、図１７のＳ０１において、管理装置３の制御部３１２は、消費電力テーブル３２３の消費電力のフィールドにおける前回値の欄に格納されている消費電力値（Ｐｌ）を読み出す。なお、消費電力テーブル３２３の消費電力のフィールドにおける前回値の欄に、消費電力値（Ｐｌ）が格納されていない場合、以下の処理を行わずに、状態フラグテーブル処理を終了する。
【０１０７】
図１７のＳ０２において、管理装置３の制御部３１２は、消費電力テーブル３２３の消費電力のフィールドにおける今回値の欄に格納されている消費電力値（Ｐｎ）を読み出す。次に、図１７のＳ０３において、管理装置３の制御部３１２は、消費電力値の前回値（Ｐｌ）から消費電力値の今回値（Ｐｎ）を減算することにより、消費電力値の前回値（Ｐｌ）と消費電力値の今回値（Ｐｎ）との差分値（Ｐｄ２）を算出する。
【０１０８】
次いで、図１７のＳ０４において、管理装置３の制御部３１２は、差分値（Ｐｄ２）が消費電力値の前回値のラウンド幅のマイナス値よりも小さいか否かを判定する。例えば、消費電力値の前回値が５０Ｗであり、消費電力値の今回値が６０Ｗであり、ラウンド幅が±１０％とする。差分値（Ｐｄ２）は−１０Ｗとなり、消費電力値の前回値のラウンド幅のマイナス値は−５Ｗとなる。差分値（Ｐｄ２）の−１０Ｗは、ラウンド幅のマイナス値の−５Ｗよりも小さいので、管理装置３の制御部３１２は、差分値（Ｐｄ２）が消費電力値の前回値のラウンド幅のマイナス値よりも小さいと判定する。差分値（Ｐｄ２）が消費電力値の前回値のラウンド幅のマイナス値よりも小さい場合（図１７のＳ０４でＹＥＳ）、図１７のＳ０５の処理に進む。
【０１０９】
図１７のＳ０５において、管理装置３の制御部３１２は、電気機器２の消費電力値が上昇傾向の状態にあると決定し、状態フラグテーブル３２４に、収集時刻、消費電力値、差分値及び状態フラグに関する情報を格納する。この場合、管理装置３の制御部３１２は、収集時刻及び消費電力値に関して、図１６のＳ０４において消費電力テーブル３２３に格納した収集時刻及び消費電力値と同じ値を用いる。管理装置３の制御部３１２は、差分値に関して、図１７のＳ０３において算出した差分値（Ｐｄ２）を用いる。電気機器２の消費電力値が上昇傾向の状態にあるため、管理装置３の制御部３１２は、状態フラグテーブル３２４の状態フラグのフィールドの今回値の欄に、ＵＰフラグを格納する。
【０１１０】
一方、差分値（Ｐｄ２）が消費電力値の前回値のラウンド幅のマイナス値よりも小さくない場合（図１７のＳ０４でＮＯ）、図１７のＳ０６の処理に進む。図１７のＳ０６において、管理装置３の制御部３１２は、差分値（Ｐｄ２）が消費電力値の前回値のラウンド
幅のプラス値よりも大きいか否かを判定する。例えば、消費電力値の前回値が６０Ｗであり、消費電力値の今回値が５０Ｗであり、ラウンド幅が±１０％とする。差分値（Ｐｄ２）は＋１０Ｗとなり、消費電力値の前回値のラウンド幅のプラス値は＋６Ｗとなる。差分値（Ｐｄ２）の＋１０Ｗは、ラウンド幅のプラス値の＋６Ｗよりも大きいので、管理装置３の制御部３１２は、差分値（Ｐｄ２）が消費電力値の前回値のラウンド幅のプラス値よりも大きいと判定する。
【０１１１】
差分値（Ｐｄ２）が消費電力値の前回値のラウンド幅のプラス値よりも大きい場合（図１７のＳ０６でＹＥＳ）、図１７のＳ０７の処理に進む。図１７のＳ０７において、管理装置３の制御部３１２は、電気機器２の消費電力値が下降傾向の状態にあると決定し、状態フラグテーブル３２４に、収集時刻、消費電力値、差分値及び状態フラグに関する情報を格納する。この場合、管理装置３の制御部３１２は、収集時刻及び消費電力値に関して、図１６のＳ０４において消費電力テーブル３２３に格納した収集時刻及び消費電力値と同じ値を用いる。管理装置３の制御部３１２は、差分値に関して、図１７のＳ０３において算出した差分値（Ｐｄ２）を用いる。電気機器２の消費電力値が下降傾向の状態にあるため、管理装置３の制御部３１２は、状態フラグテーブル３２４の状態フラグのフィールドの今回値の欄に、ＤＯＷＮフラグを格納する。
【０１１２】
また、差分値（Ｐｄ２）が消費電力値の前回値のラウンド幅のプラス値よりも大きくない場合（図１７のＳ０６でＮＯ）、図１７のＳ０８の処理に進む。図１７のＳ０８において、管理装置３の制御部３１２は、電気機器２の消費電力値が無変化傾向の状態にあると決定し、状態フラグテーブル３２４に、収集時刻、消費電力値、差分値及び状態フラグに関する情報を格納する。この場合、管理装置３の制御部３１２は、収集時刻及び消費電力値に関して、図１６のＳ０４において消費電力テーブル３２３に格納した収集時刻及び消費電力値と同じ値を用いる。管理装置３の制御部３１２は、差分値に関して、図１７のＳ０３において算出した差分値（Ｐｄ２）を用いる。電気機器２の消費電力値が無変化傾向の状態にあるため、管理装置３の制御部３１２は、状態フラグテーブル３２４の状態フラグのフィールドの今回値の欄に、無変化フラグを格納する。
【０１１３】
図１７のＳ０５、Ｓ０７又はＳ０８のうちの何れかの処理が行われると、状態フラグテーブル処理が終了する。
【０１１４】
〈状態管理テーブル処理〉
状態管理テーブル処理（図１３のＳ０８）について、図１８を参照して詳述する。状態管理テーブル処理では、まず、図１８のＳ０１において、管理装置３の制御部３１２は、状態管理テーブル３２５の開始時刻、終了時刻、経過時間、開始消費電力、終了消費電力及び状態フラグの各フィールドにおける今回値の欄に格納されている情報を、前回値の欄に格納する。
【０１１５】
そして、図１８のＳ０２において、管理装置３の制御部３１２は、状態フラグテーブル３２４の収集時刻、消費電力及び状態フラグの各フィールドにおける前回値の欄に格納されている収集時刻（Ｔｌ）、消費電力値（Ｐｌ）及び状態フラグ（Ｆｌ）を読み出す。次に、図１８のＳ０３において、管理装置３の制御部３１２は、状態フラグテーブル３２４の収集時刻、消費電力及び状態フラグの各フィールドにおける今回値の欄に格納されている収集時刻（Ｔｎ）、消費電力値（Ｐｎ）及び状態フラグ（Ｆｎ）を読み出す。
【０１１６】
次いで、図１８のＳ０４において、管理装置３の制御部３１２は、状態フラグ（Ｆｌ）と状態フラグ（Ｆｎ）とが同じ状態であるか否かを判定する。状態フラグ（Ｆｌ）と状態フラグ（Ｆｎ）とが同じ状態である場合（図１８のＳ０４でＹＥＳ）、図１８のＳ０５の処理に進む。図１８のＳ０５において、管理装置３の制御部３１２は、状態管理テーブル
３２５の今回値の欄に、開始時刻、終了時刻、経過時間、開始消費電力値、終了消費電力値及び状態フラグに関する情報を格納する。
【０１１７】
管理装置３の制御部３１２は、状態管理テーブル３２５の開始時刻のフィールドにおける今回値の欄に、開始時刻（Ｔｓ）を格納する。管理装置３の制御部３１２は、状態管理テーブル３２５の終了時刻のフィールドにおける今回値の欄に、終了時刻（Ｔｎ）を格納する。管理装置３の制御部３１２は、状態管理テーブル３２５の経過時間のフィールドにおける今回値の欄に、経過時間（Ｔｎ−Ｔｓ）を格納する。管理装置３の制御部３１２は、状態管理テーブル３２５の開始消費電力のフィールドにおける今回値の欄に、開始消費電力値（Ｐｓ）を格納する。管理装置３の制御部３１２は、状態管理テーブル３２５の終了消費電力のフィールドにおける今回値の欄に、終了消費電力値（Ｐｎ）を格納する。管理装置３の制御部３１２は、状態管理テーブル３２５の状態フラグのフィールドにおける今回値の欄に、状態フラグ（Ｆｌ）を格納する。
【０１１８】
一方、状態フラグ（Ｆｌ）と状態フラグ（Ｆｎ）とが同じ状態でない場合（図１８のＳ０４でＮＯ）、図１８のＳ０６の処理に進む。図１８のＳ０６において、管理装置３の制御部３１２は、状態管理テーブル３２５の今回値の欄に、開始時刻、終了時刻、経過時間、開始消費電力値、終了消費電力値及び状態フラグに関する情報を格納する。
【０１１９】
管理装置３の制御部３１２は、状態管理テーブル３２５の開始時刻のフィールドにおける今回値の欄に、開始時刻（Ｔｌ）を格納する。管理装置３の制御部３１２は、状態管理テーブル３２５の終了時刻のフィールドにおける今回値の欄に、終了時刻（Ｔｎ）を格納する。管理装置３の制御部３１２は、状態管理テーブル３２５の経過時間のフィールドにおける今回値の欄に、経過時間（Ｔｎ−Ｔｌ）を格納する。管理装置３の制御部３１２は、状態管理テーブル３２５の開始消費電力のフィールドにおける今回値の欄に、開始消費電力値（Ｐｌ）を格納する。管理装置３の制御部３１２は、状態管理テーブル３２５の終了消費電力のフィールドにおける今回値の欄に、終了消費電力値（Ｐｎ）を格納する。管理装置３の制御部３１２は、状態管理テーブル３２５の状態フラグのフィールドにおける今回値の欄に、状態フラグ（Ｆｎ）を格納する。
【０１２０】
図１８のＳ０５又はＳ０６の何れかの処理が行われると、状態管理テーブル処理が終了する。
【０１２１】
〈最小消費電力テーブル処理〉
最小消費電力テーブル処理（図１４のＳ０９）について、図１９を参照して詳述する。最小消費電力テーブル処理では、まず、図１９のＳ０１において、管理装置３の制御部３１２は、状態管理テーブル３２５の状態フラグのフィールドにおける前回値の欄に格納されている状態フラグ（Ｆｌ）と、状態管理テーブル３２５の状態フラグのフィールドにおける今回値の欄に格納されている状態フラグ（Ｆｎ）とを読み出す。
【０１２２】
そして、図１９のＳ０２において、管理装置３の制御部３１２は、状態フラグ（Ｆｌ）が無変化フラグであり、かつ、状態フラグ（Ｆｎ）が無変化フラグであるか否かを判定する。状態フラグ（Ｆｌ）が無変化フラグでない場合や状態フラグ（Ｆｎ）が無変化フラグでない場合（図１９のＳ０２でＮＯ）、最小消費電力テーブル処理が終了する。一方、状態フラグ（Ｆｌ）が無変化フラグであり、かつ、状態フラグ（Ｆｎ）が無変化フラグである場合（図１９のＳ０２でＹＥＳ）、図１９のＳ０３の処理に進む。
【０１２３】
次に、図１９のＳ０３において、管理装置３の制御部３１２は、状態管理テーブル３２５の状態フラグのフィールドにおける前回値又は今回値の欄に格納されている消費電力値が、最小消費電力テーブル３２６の消費電力のフィールドに格納されている消費電力値よ
りも小さいか否かを判定する。ただし、状態管理テーブル３２５の状態フラグのフィールドにおける前回値又は今回値の欄に格納されている消費電力値が、０Ｗでないことを条件とする。状態管理テーブル３２５の状態フラグのフィールドにおける前回値又は今回値の欄に格納されている消費電力値が、最小消費電力テーブル３２６の消費電力のフィールドに格納されている消費電力値よりも小さくない場合（図１９のＳ０３でＮＯ）、最小消費電力テーブル処理が終了する。一方、状態管理テーブル３２５の状態フラグのフィールドにおける前回値又は今回値の欄に格納されている消費電力値が、最小消費電力テーブル３２６の消費電力のフィールドに格納されている消費電力値よりも小さい場合（図１９のＳ０３でＹＥＳ）、図１９のＳ０４の処理に進む。
【０１２４】
次いで、図１９のＳ０４において、管理装置３の制御部３１２は、状態管理テーブル３２５の経過時間のフィールドにおける今回値の欄に格納されている時間が、システム設定値テーブル３２０の最低経過時間のフィールドに格納されている時間を越えているか否かを判定する。状態管理テーブル３２５の経過時間のフィールドにおける今回値の欄に格納されている時間が、システム設定値テーブル３２０の最低経過時間のフィールドに格納されている時間を越えていない場合（図１９のＳ０４でＮＯ）、最小消費電力テーブル処理が終了する。一方、状態管理テーブル３２５の経過時間のフィールドにおける今回値の欄に格納されている時間が、システム設定値テーブル３２０の最低経過時間のフィールドに格納されている時間を越えている場合（図１９のＳ０４でＹＥＳ）、図１９のＳ０５の処理に進む。
【０１２５】
そして、図１９のＳ０５において、管理装置３の制御部３１２は、最小消費電力テーブル３２６の各フィールドに、状態管理テーブル３２５の対応する各フィールドにおける今回値の欄に格納されている情報を格納する。すなわち、管理装置３の制御部３１２は、状態管理テーブル３２５の開始時刻のフィールドにおける今回値の欄に格納されている時刻を、最小消費電力テーブル３２６の開始時刻のフィールドに格納する。管理装置３の制御部３１２は、状態管理テーブル３２５の終了時刻のフィールドにおける今回値の欄に格納されている時刻を、最小消費電力テーブル３２６の終了時刻のフィールドに格納する。管理装置３の制御部３１２は、状態管理テーブル３２５の経過時間のフィールドにおける今回値の欄に格納されている時刻を、最小消費電力テーブル３２６の開始時刻のフィールドに格納する。
【０１２６】
また、管理装置３の制御部３１２は、状態管理テーブル３２５の消費電力のフィールドにおける今回値の欄に格納されている消費電力値を、最小消費電力テーブル３２６の消費電力のフィールドに格納する。電気機器２の消費電力値が変化しない状態を継続し、継続した時間が、最低経過時間を越えれば、電気機器２の二次電池の充電が完了したと判断できる。したがって、本システムでは、電気機器２の消費電力値が変化しない状態が一定時間継続した場合のその消費電力値を、最小消費電力テーブル３２６に格納している。図１９のＳ０５の処理が行われると、最小消費電力テーブル処理が終了する。
【０１２７】
〈機器使用開始時刻テーブル処理〉
機器使用開始時刻テーブル処理（図１４のＳ１０）について、図２０を参照して詳述する。
【０１２８】
機器使用開始時刻テーブル処理では、まず、図２０のＳ０１において、管理装置３の制御部３１２は、状態管理テーブル３２５の終了消費電力及び状態フラグの各フィールドの今回値及び前回値の欄に格納されている情報と、最小消費電力テーブル３２６の消費電力のフィールドに格納されている情報とを、読み出す。
【０１２９】
次に、図２０のＳ０２において、管理装置３の制御部３１２は、状態フラグ（Ｆｌ）及
び状態フラグ（Ｆｎ）が両方とも無変化フラグであって、かつ、終了消費電力値（Ｐｌ）及び終了消費電力値（Ｐｎ）が両方とも０Ｗである、という条件を満たすか否かを判定する。機器使用開始時刻テーブル処理では、この条件を第１条件と表記する。第１条件を満たす場合（図２０のＳ０２でＹＥＳ）、図２０のＳ０４の処理に進む。一方、第１条件を満たさない場合（図２０のＳ０２でＮＯ）、図２０のＳ０３の処理に進む。
【０１３０】
図２０のＳ０３において、管理装置３の制御部３１２は、状態フラグ（Ｆｌ）が無変化フラグ、状態フラグ（Ｆｎ）がＵＰフラグ、終了消費電力値（Ｐｌ）が最小消費電力値（Ｐｍｉｎ）、終了消費電力値（Ｐｎ）が最小消費電力値（Ｐｍｉｎ）より大きい、という条件を満たすか否かを判定する。機器使用開始時刻テーブル処理では、この条件を第２条件と表記する。第２条件を満たす場合（図２０のＳ０３でＹＥＳ）、図２０のＳ０４の処理に進む。一方、第２条件を満たさない場合（図２０のＳ０３でＮＯ）、機器使用開始時刻テーブル処理が終了する。
【０１３１】
図２０のＳ０４において、管理装置３の制御部３１２は、状態管理テーブル３２５の終了時刻の前回値の欄に格納されている時刻（Ｔｌ）を、機器使用時刻テーブル３３０の機器使用時刻のフィールドに、機器使用時刻Ｓ２として格納する。図２０のＳ０４の処理が行われると、機器使用開始時刻テーブル処理が終了する。
【０１３２】
機器使用開始時刻テーブル処理では、電気機器２の消費電力値の状態から、電気機器２が使用される時刻を特定する処理を行う。機器使用開始時刻テーブル処理では、管理装置３の制御部３１２は、第１条件又は第２条件を満たすか否かを判定する。そして、第１条件又は第２条件のいずれかの条件が満たされる場合には、管理装置３の制御部３１２は、状態管理テーブル３２５の終了時刻の前回値の欄に格納されている時刻（Ｔｌ）を、電気機器２が使用される時刻（機器使用時刻）とみなし、当該時刻（Ｔｌ）を、機器使用時刻テーブル３３０の機器使用時刻のフィールドに格納する。
【０１３３】
〈充電確認ポイント予備テーブル処理〉
充電確認ポイント予備テーブル処理（図１４のＳ１１）について、図２１を参照して詳述する。
【０１３４】
充電確認ポイント予備テーブル処理では、まず、図２１のＳ０１において、管理装置３の制御部３１２は、状態管理テーブル３２５から以下の情報を読み出す。
・状態管理テーブル３２５
前回値及び今回値：状態フラグ（Ｆｎ、Ｆｌ）
今回値：開始時刻（Ｔｓ）、経過時間（終了時刻−開始時刻）、開始消費電力値（Ｐｓ）
次に、図２１のＳ０２において、管理装置３の制御部３１２は、状態フラグ（Ｆｌ）及び状態フラグ（Ｆｎ）が両方ともＤＯＷＮフラグであるか否かを判定する。状態フラグ（Ｆｎ）及び状態フラグ（Ｆｌ）が両方ともＤＯＷＮフラグでない場合（図２１のＳ０２でＮＯ）、充電確認ポイント予備テーブル処理が終了する。
【０１３５】
一方、状態フラグ（Ｆｎ）及び状態フラグ（Ｆｌ）が両方ともＤＯＷＮフラグある場合（図２１のＳ０２でＹＥＳ）、図２１のＳ０３の処理に進む。図２１のＳ０３において、管理装置３の制御部３１２は、図２１のＳ０１で読み出した経過時間が、ユーザ情報テーブル３２１に記憶されている最低経過時間を超えているか否かを判定する。図２１のＳ０１で読み出した経過時間が、ユーザ情報テーブル３２１に記憶されている最低経過時間を超えていない場合（図２１のＳ０３でＮＯ）、充電確認ポイント予備テーブル処理が終了する。
【０１３６】
一方、図２１のＳ０１で読み出した経過時間が、ユーザ情報テーブル３２１に記憶されている最低経過時間を超えている場合（図２１のＳ０３でＹＥＳ）、図２１のＳ０４の処理に進む。図２１のＳ０４において、管理装置３の制御部３１２は、充電確認ポイント予備テーブル３２７に、消費電力値（Ｐｓ１）及び消費電力値（Ｐｓ２）が格納されているか否かを判定する。充電確認ポイント予備テーブル３２７に、消費電力値（Ｐｓ１）及び消費電力値（Ｐｓ２）が格納されていない場合（図２１のＳ０４でＮＯ）、図２１のＳ０５の処理に進む。
【０１３７】
図２１のＳ０５において、管理装置３の制御部３１２は、充電確認ポイント予備テーブル３２７に、図２１のＳ０１で読み出した開始消費電力値（Ｐｓ）を格納する。この場合、管理装置３の制御部３１２は、図２１のＳ０１で読み出した開始消費電力値（Ｐｓ）を、消費電力値（Ｐｓ１）及び消費電力値（Ｐｓ２）として、充電確認ポイント予備テーブル３２７に格納する。したがって、充電確認ポイント予備テーブル３２７に格納される消費電力値（Ｐｓ１）及び消費電力値（Ｐｓ２）は、図２１のＳ０１で読み出された開始消費電力値（Ｐｓ）と同じ値となる。図２１のＳ０５の処理が行われると、充電確認ポイント予備テーブル処理が終了する。
【０１３８】
一方、充電確認ポイント予備テーブル３２７に、消費電力値（Ｐｓ１）及び消費電力値（Ｐｓ２）が格納されている場合（図２１のＳ０４でＹＥＳ）、図２１のＳ０６の処理に進む。図２１のＳ０６において、管理装置３の制御部３１２は、図２１のＳ０１で読み出した開始消費電力値（Ｐｓ）が、以下のいずれか一つの条件に該当するか否かを判定する。
〈条件Ａ〉Ｐｓ＞Ｐｓ１
〈条件Ｂ〉Ｐｓ１≧Ｐｓ＞Ｐｓ２
〈条件Ｃ〉Ｐｓ２≧Ｐｓ
条件Ａに該当する場合、充電確認ポイント予備テーブル処理が終了する。一方、条件Ｂに該当する場合、図２１のＳ０７の処理に進む。図２１のＳ０７において、管理装置３の制御部３１２は、図２１のＳ０１で読み出した開始時刻（Ｔｓ）及び開始消費電力値（Ｐｓ）を、開始時刻（Ｔｓ１）及び消費電力値（Ｐｓ１）として、充電確認ポイント予備テーブル３２７に格納する。したがって、充電確認ポイント予備テーブル３２７に格納される開始時刻（Ｔｓ１）及び消費電力値（Ｐｓ１）は、図２１のＳ０１で読み出された開始時刻（Ｔｓ）及び開始消費電力値（Ｐｓ）と同じ値となる。図２１のＳ０７の処理が行われると、充電確認ポイント予備テーブル処理が終了する。
【０１３９】
一方、条件Ｃに該当する場合、図２１のＳ０８の処理に進む。図２１のＳ０８において、管理装置３の制御部３１２は、充電確認ポイント予備テーブル３２７に格納されている開始時刻（Ｔｓ２）及び消費電力値（Ｐｓ２）を、開始時刻（Ｔｓ１）及び消費電力値（Ｐｓ１）として格納する。図２１のＳ０９において、管理装置３の制御部３１２は、図２１のＳ０１で読み出した開始時刻（Ｔｓ）及び開始消費電力値（Ｐｓ）を、開始時刻（Ｔｓ２）及び消費電力値（Ｐｓ２）として、充電確認ポイント予備テーブル３２７に格納する。したがって、充電確認ポイント予備テーブル３２７に格納される開始時刻（Ｔｓ２）及び消費電力値（Ｐｓ２）は、図２１のＳ０１で読み出された開始時刻（Ｔｓ）及び開始消費電力値（Ｐｓ）と同じ値となる。図２１のＳ０９の処理が行われると、充電確認ポイント予備テーブル処理が終了する。
【０１４０】
〈起動予測時刻処理〉
起動予測時刻処理（図１４のＳ１２）について、図２２を参照して詳述する。起動予測時刻処理では、まず、図２２のＳ０１において、管理装置３の制御部３１２は、ユーザによるスケジューラへの入力情報である電気機器の２の利用予定、ユーザの出勤予定、外出予定及び出張予定等のスケジュール情報を収集する。管理装置３が、ユーザからスケジュ
ーラへの入力情報を受け付けるようにしてもよいし、ネットワーク４上のサーバ等からスケジュール情報を受け取るようにしてもよい。必要に応じて、管理装置３の制御部３１２は、ユーザＩＤ及びパスワードを用いて、スケジュール情報を収集するようにしてもよい。次に、管理装置３の制御部３１２は、スケジュール情報から電気機器２の使用開始時刻である機器使用時刻Ｓ１を収集する。電気機器の２の利用予定開始時刻、ユーザの出勤予定時刻、ユーザの外出予定時刻及びユーザの出張予定時刻を、機器使用時刻Ｓ１としてもよい。機器使用時刻Ｓ１は、スケジューラ収集時刻テーブル３２９の機器使用時刻のフィールドに格納される。
【０１４１】
図２２のＳ０２において、管理装置３の制御部３１２は、機器使用時刻テーブル３３０から機器使用時刻Ｓ２を読み出す。図２２のＳ０３において、管理装置３の制御部３１２は、現在時刻と、機器使用時刻Ｓ１及びＳ２とを比較する。そして、管理装置３の制御部３１２は、現在時刻に対して機器使用時刻Ｓ２よりも機器使用時刻Ｓ１が近いか否かを判定する。現在時刻に対して機器使用時刻Ｓ２よりも機器使用時刻Ｓ１が近い場合（図２２のＳ０３でＹＥＳ）、図２２のＳ０４の処理に進む。図２２のＳ０４において、管理装置３の制御部３１２は、起動予測時刻テーブル３３１に、機器使用時刻Ｓ１を起動予測時刻Ｓ１として格納する。図２２のＳ０４の処理が行われると、起動予測時刻処理が終了する。
【０１４２】
一方、現在時刻に対して機器使用時刻Ｓ２よりも機器使用時刻Ｓ１が近くない場合（図２２のＳ０３でＮＯ）、図２２のＳ０５の処理に進む。図２２のＳ０５において、管理装置３の制御部３１２は、起動予測時刻テーブル３３１に、機器使用時刻Ｓ２を起動予測時刻Ｓ２として格納する。図２２のＳ０５の処理が行われると、起動予測時刻処理が終了する。
【０１４３】
〈コンセントスイッチ制御処理〉
コンセントスイッチ制御処理（図１４のＳ１５）について、図２３及び図２４を参照して詳述する。コンセントスイッチ制御処理では、まず、図２３のＳ０１において、管理装置３の制御部３１２は、電気機器２のスイッチＳＷ１をＯＦＦにする制御を行う。管理装置３の制御部３１２は、電気機器２に対してスイッチＳＷ１をＯＦＦにする信号を送る。電気機器２がスイッチＳＷ１をＯＦＦにする信号を受け取ると、電気機器２の信号制御部１１からスイッチＳＷ１をＯＦＦにする信号がスイッチＳＷ１に送られ、スイッチＳＷ１がＯＦＦになる。電気機器２のスイッチＳＷ１がＯＦＦになることにより、電気機器２への電力供給が停止される。
【０１４４】
図２３のＳ０２において、管理装置３の制御部３１２は、最小消費電力テーブル３２６から開始時刻（Ｔｓ）を読み出す。図２３のＳ０３において、管理装置３の制御部３１２は、充電確認ポイント予備テーブル３２７から開始時刻（Ｔｓ１）、（Ｔｓ２）、消費電力（Ｐｓ１）、（Ｐｓ２）を読み出す。
【０１４５】
図２３のＳ０４において、管理装置３の制御部３１２は、下記の式１及び式２により、充電所要時間（ｔ１）及び充電所要時間（ｔ２）を算出する。
【０１４６】
充電所要時間（ｔ１）＝開始時刻（Ｔｓ）−開始時刻（Ｔｓ１）・・・（式１）
充電所要時間（ｔ２）＝開始時刻（Ｔｓ）−開始時刻（Ｔｓ２）・・・（式２）
図２３のＳ０５において、管理装置３の制御部３１２は、システム設定値テーブル３２０から、充電最小時間を読み出し、起動予測時刻テーブル３３１から起動予測時刻（Ｓ１）及び起動予測時刻（Ｓ２）を読み出す。
【０１４７】
図２３のＳ０６において、管理装置３の制御部３１２は、下記の式３及び式４により、
充電開始時刻（Ｔ１）及び充電開始時刻（Ｔ２）を算出する。
【０１４８】
充電開始時刻（Ｔ１）＝起動予測時刻（Ｓ１）−充電最小時間−充電所要時間（ｔ１）・・・（式３）
充電開始時刻（Ｔ２）＝起動予測時刻（Ｓ２）−充電最小時間−充電所要時間（ｔ２）・・・（式４）
図２３のＳ０７において、管理装置３の制御部３１２は、充電確認ポイントテーブル３２８に、充電開始時刻（Ｔ１）、（Ｔ２）、消費電力（Ｐｓ１）、（Ｐｓ２）、充電所要時間（ｔ１）、（ｔ２）を格納する。具体的には、充電確認ポイントテーブル３２８における充電確認ポイント１の欄の充電開始時刻のフィールドに、充電開始時刻（Ｔ１）が格納され、消費電力のフィールドに消費電力（Ｐｓ１）が格納され、所要時間のフィールドに充電所要時間（ｔ１）が格納される。また、充電確認ポイントテーブル３２８における充電確認ポイント２の欄の充電開始時刻のフィールドに、充電開始時刻（Ｔ２）が格納され、消費電力のフィールドに消費電力（Ｐｓ２）が格納され、所要時間のフィールドに充電所要時間（ｔ２）が格納される。
【０１４９】
次に、図２４を参照して、図２３のＳ０７に続く処理を説明する。図２４のＳ０８において、管理装置３の制御部３１２は、現在時刻と、充電確認ポイントテーブル３２８に格納された充電開始時刻（Ｔ１）とを比較する。そして、管理装置３の制御部３１２は、現在時刻と、充電確認ポイントテーブル３２８に格納された充電開始時刻（Ｔ１）との関係が、以下のいずれか一つの条件に該当するか否かを判定する。
〈条件Ｄ〉現在時刻が、充電確認ポイントテーブル３２８に格納された充電開始時刻（Ｔ１）よりも前である。
〈条件Ｅ〉現在時刻が、充電確認ポイントテーブル３２８に格納された充電開始時刻（Ｔ１）に達している。
〈条件Ｆ〉現在時刻が、充電確認ポイントテーブル３２８に格納された充電開始時刻（Ｔ１）を過ぎている。
【０１５０】
条件Ｄに該当する場合、管理装置３の制御部３１２は、条件Ｅに該当するまで、図２４のＳ０８の処理が繰り返される。条件Ｅに該当する場合、図２４のＳ０９の処理に進む。条件Ｆに該当する場合、図２４のＳ１３の処理に進む。
【０１５１】
図２４のＳ０９において、管理装置３の制御部３１２は、電気機器２のスイッチＳＷ１をＯＮにする制御を行う。管理装置３の制御部３１２は、電気機器２に対してスイッチＳＷ１をＯＮにする信号を送る。電気機器２がスイッチＳＷ１をＯＮにする信号を受け取ると、電気機器２の信号制御部１１からスイッチＳＷ１をＯＮにする信号がスイッチＳＷ１に送られ、スイッチＳＷ１がＯＮになる。電気機器２のスイッチＳＷ１がＯＮになることにより、電気機器２への電力供給が開始される。
【０１５２】
図２４のＳ１０において、管理装置３の制御部３１２は、タイマ３９を参照し、図２４のＳ０９で電気機器２のスイッチＳＷ１がＯＮになった時刻（以下、第１のＯＮ時刻と表記）から、コンセント制御収集時間が経過したか否かを判定する。上述したように、コンセント制御収集時間は、システム設定値テーブル３２０に格納されている。第１のＯＮ時刻から、コンセント制御収集時間が経過していない場合（図２４のＳ１０でＮＯ）、第１のＯＮ時刻から、コンセント制御収集時間が経過するまで、図２４のＳ１０の処理が繰り返し行われる。すなわち、管理装置３の制御部３１２は、第１のＯＮ時刻から、コンセント制御収集時間が経過するまで待機する。
【０１５３】
一方、第１のＯＮ時刻から、コンセント制御収集時間が経過した場合（図２４のＳ１０でＹＥＳ）、図２４のＳ１１の処理に進む。図２４のＳ１１において、管理装置３の制御
部３１２は、電気機器２の消費電力値を収集する。そして、第１のＯＮ時刻の後に収集した電気機器２の消費電力値が、充電確認ポイント予備テーブル３２７に格納されている消費電力値（Ｐｓ１）以上であるか否かを判定する。第１のＯＮ時刻の後に収集した電気機器２の消費電力値が、充電確認ポイント予備テーブル３２７に格納されている消費電力値（Ｐｓ１）以上である場合（図２４のＳ１１でＹＥＳ）、コンセントスイッチ制御処理が終了する。
【０１５４】
一方、第１のＯＮ時刻の後に収集した電気機器２の消費電力値が、充電確認ポイント予備テーブル３２７に格納されている消費電力値（Ｐｓ１）以上でない場合（図２４のＳ１１でＮＯ）、図２４のＳ１２の処理に進む。図２４のＳ１２において、管理装置３の制御部３１２は、電気機器２のスイッチＳＷ１をＯＦＦにする制御を行う。電気機器２のスイッチＳＷ１をＯＦＦにする制御が行われることにより、電気機器２への電力供給が停止される。
【０１５５】
図２４のＳ１３において、管理装置３の制御部３１２は、現在時刻と、充電確認ポイントテーブル３２８に格納された充電開始時刻（Ｔ２）とを比較する。そして、管理装置３の制御部３１２は、現在時刻と、充電確認ポイントテーブル３２８に格納された充電開始時刻（Ｔ２）との関係が、以下のいずれか一つの条件に該当するか否かを判定する。
〈条件Ｇ〉現在時刻が、充電確認ポイントテーブル３２８に格納された充電開始時刻（Ｔ１）よりも前である。
〈条件Ｈ〉現在時刻が、充電確認ポイントテーブル３２８に格納された充電開始時刻（Ｔ１）に達している。
〈条件Ｉ〉現在時刻が、充電確認ポイントテーブル３２８に格納された充電開始時刻（Ｔ１）を過ぎている。
【０１５６】
条件Ｇに該当する場合、管理装置３の制御部３１２は、条件Ｈに該当するまで、図２４のＳ１３の処理が繰り返される。条件Ｈに該当する場合、図２４のＳ１４の処理に進む。条件Ｉに該当する場合、図２４のＳ１８の処理に進む。
【０１５７】
図２４のＳ１４において、管理装置３の制御部３１２は、電気機器２のスイッチＳＷ１をＯＮにする制御を行う。電気機器２のスイッチＳＷ１をＯＮにする制御が行われることにより、電気機器２への電力供給が開始される。
【０１５８】
図２４のＳ１５において、管理装置３の制御部３１２は、タイマ３９を参照し、図２４のＳ１４で電気機器２のスイッチＳＷ１がＯＮになった時刻（以下、第２のＯＮ時刻と表記）から、コンセント制御収集時間が経過したか否かを判定する。第２のＯＮ時刻から、コンセント制御収集時間が経過していない場合（図２４のＳ１５でＮＯ）、第２のＯＮ時刻から、コンセント制御収集時間が経過するまで、図２４のＳ１５の処理が繰り返し行われる。すなわち、管理装置３の制御部３１２は、第２のＯＮ時刻から、コンセント制御収集時間が経過するまで待機する。
【０１５９】
一方、第２のＯＮ時刻から、コンセント制御収集時間が経過した場合（図２４のＳ１５でＹＥＳ）、図２４のＳ１６の処理に進む。図２４のＳ１６において、管理装置３の制御部３１２は、電気機器２の消費電力値を収集する。そして、第２のＯＮ時刻の後に収集した電気機器２の消費電力値が、最小消費電力テーブル３２６に格納されている消費電力値（Ｐｍｉｎ）より大きいか否かを判定する。第２のＯＮ時刻の後に収集した電気機器２の消費電力値が、最小消費電力テーブル３２６に格納されている消費電力値（Ｐｍｉｎ）より大きい場合（図２４のＳ１６でＹＥＳ）、コンセントスイッチ制御処理が終了する。
【０１６０】
一方、第２のＯＮ時刻の後に収集した電気機器２の消費電力値が、最小消費電力テーブ
ル３２６に格納されている消費電力値（Ｐｍｉｎ）より大きくない場合（図２４のＳ１６でＮＯ）、図２４のＳ１７の処理に進む。図２４のＳ１７において、管理装置３の制御部３１２は、電気機器２のスイッチＳＷ１をＯＦＦにする制御を行う。電気機器２のスイッチＳＷ１をＯＦＦにする制御が行われることにより、電気機器２への電力供給が停止される。
【０１６１】
図２４のＳ１８において、管理装置の制御部３１２は、下記の（式５）が満たされているか否かを判定する。
起動予測時刻（Ｓ１又はＳ２）−充電最小時間≦現在時刻・・・（式５）
すなわち、管理装置の制御部３１２は、現在時刻が、起動予測時刻テーブル３３１に記憶されている起動予測時刻（Ｓ１又はＳ２）からシステム設定値テーブル３２０に記憶されている充電最小時間を減算した後の時刻と同じである又は越えているか否かを判定する。上記の（式５）が満たされていない場合（図２４のＳ１８でＮＯ）、上記の（式５）が満たされるまで、図２４のＳ１８の処理が繰り返される。
【０１６２】
一方、上記の（式５）が満たされている場合（図２４のＳ１８でＹＥＳ）、図２４のＳ１９の処理に進む。図２４のＳ１９において、管理装置３の制御部３１２は、電気機器２のスイッチＳＷ１をＯＮにする制御を行う。電気機器２のスイッチＳＷ１をＯＮにする制御が行われることにより、電気機器２への電力供給が開始される。図２４のＳ１９の処理が行われると、コンセントスイッチ制御処理が終了する。
【０１６３】
実施例１によれば、第１の所定時刻に達した後に、電気機器２のスイッチＳＷ１をＯＮにする制御を行うことにより、電気機器２への電力供給を開始する。第１の所定時刻に達する以前の時刻が、例えば、図６の（Ｂ）で示す時刻である。第１の所定時刻は、例えば、充電開始時刻Ｔ１である。そして、電気機器２の消費電力値を収集し、電気機器２の消費電力値が、第１の所定消費電力値以上であるか否かを判定する。電気機器２の消費電力値が、第１の所定消費電力値以上であるか否かの判定が行われる時刻が、例えば、図６の（Ｃ）で示す時刻である。第１の所定消費電力値は、例えば、充電確認ポイント予備テーブル３２７に格納されている消費電力値（Ｐｓ１）である。電気機器２の消費電力値が、第１の所定消費電力値以上である場合、電気機器２の二次電池の充電が完了に近づいていない又は二次電池の充電が完了してないとみなし、電気機器２への電力供給を継続し、二次電池の充電を続ける。
【０１６４】
一方、電気機器２の消費電力値が、第１の所定消費電力値以上である場合、電気機器２の二次電池の充電が完了に近づいている又は二次電池の充電が完了しているとみなし、電気機器２への電力供給を停止し、二次電池の充電を停止する。そして、第２の所定時刻に達した後に、電気機器２のスイッチＳＷ１をＯＮにする制御を行うことにより、電気機器２への電力供給を開始する。第２の所定時刻に達する以前の時刻が、例えば、図６の（Ｄ）で示す時刻である。第２の所定時刻は、例えば、充電開始時刻Ｔ２である。その後、電気機器２の消費電力値を収集し、電気機器２の消費電力値が、第２の所定消費電力値より大きいか否かを判定する。電気機器２の消費電力値が、第２の所定消費電力値より大きいか否かの判定が行われる時刻が、例えば、図６の（Ｅ）で示す時刻である。第２の所定消費電力値は、例えば、最小消費電力テーブル３２６に格納されている消費電力値（Ｐｍｉｎ）である。電気機器２の消費電力値が、第２の所定消費電力値より大きい場合、電気機器２の二次電池の充電が完了に近づいていない又は二次電池の充電が完了してないとみなし、電気機器２への電力供給を継続し、二次電池の充電を続ける。
【０１６５】
一方、電気機器２の消費電力値が、第２の所定消費電力値以上である場合、電気機器２の二次電池の充電が完了に近づいている又は二次電池の充電が完了しているとみなし、電気機器２への電力供給を停止し、二次電池の充電を停止する。そして、第３の所定時刻に
達した後に、電気機器２のスイッチＳＷ１をＯＮにする制御を行うことにより、電気機器２への電力供給を開始する。第３の所定時刻は、例えば、起動予測時刻テーブル３３１に記憶されている起動予測時刻（Ｓ１又はＳ２）からシステム設定値テーブル３２０に記憶されている充電最小時間を減算した後の時刻である。第３の所定時刻は、例えば、図６の（Ｇ）に示す時刻である。第３の所定時刻は、機器使用時刻（起動予測時刻）に近いため、電気機器２の二次電池の充電状態にかかわらず、電気機器２への電力供給を停止しせずに、二次電池の充電を継続する。第３の所定時刻より後の時刻が、例えば、図６の（Ａ）で示す時刻である。
【０１６６】
このように、実施例１によれば、電気機器２の二次電池の充電の開始や充電の停止を管理することができる。その結果、電気機器２を使用するユーザが、電気機器２の二次電池の充放電を意識せずとも、二次電池の充電の開始や充電の停止を行うことが可能となる。
【実施例２】
【０１６７】
実施例１では、管理装置３が、電気機器２の消費電力値を収集するとともに、電気機器２の二次電池の充電の開始や充電の停止を管理する例を示した。実施例２では、電源接続機器１Ａが、電気機器２の消費電力値を収集するとともに、電気機器２の二次電池の充電の開始や充電の停止を管理する例を説明する。
【０１６８】
＜ハードウェアの構成＞
図２５は、実施例２に係る電源接続機器１Ａの外観図の例である。電源接続機器１Ａとして、例えば、スマート電源タップを例示できる。ただし、電源接続機器１Ａがスマート電源タップに限定されるわけではなく、コンセントＣ１ごとに供給される電流、あるいは、電力が検出可能なものであれば、どのようなものでもよい。
【０１６９】
図２５のように、電源接続機器１Ａは、外観上、筐体と、筐体の一方の面に配列された複数のコンセントＣ１と、筐体外部の商用電源を筐体内の各コンセントＣ１に接続する電源ケーブルＡＣ１とを有している。また、電源接続機器１Ａは、表示器１０１及びリセットボタン１０２を有している。
【０１７０】
コンセントＣ１は、例えば、電気機器２に接続されている電源ケーブルのプラグを挿入する１対のプラグ挿入口と、プラグのアース端子を受け入れるアース端子口とを有する。筐体内には、電力ケーブルＡＣ１から分岐し、各コンセントＣ１に供給する導電路と、分岐したそれぞれの導電路に接続される電極を有する。電極は、それぞれのプラグ挿入口内に埋め込まれており、電源ケーブルのプラグがコンセントＣ１に挿入されたときにプラグのコンタクトに接触し、通電可能となる。
【０１７１】
図２６に、電源接続機器１Ａ内の接続図を例示する。図２６のように、電源接続機器１Ａは、筐体内に、図２５の電源ケーブルＡＣ１に接続される導電路ＡＣ２と、導電路Ａ２から分岐した分岐路ＡＣ３と、分岐路ＡＣ３の先端部に接続される複数のコンタクトＣＴ１とを有する。
【０１７２】
コンタクトＣＴ１は、図２５に示したコンセントＣ１に挿入されるプラグのコンタクトと接触し、通電可能となる。さらに、電源接続機器１Ａは、それぞれの分岐路ＡＣ３を流れる電流を検出する複数の電流センサＣＳ１と、コンタクトＣＴ１と分岐路ＡＣ３との接続及び非接続を切り換えるスイッチＳＷ１とを、を有する。図２６では、分岐路ＡＣ３、コンタクトＣＴ１、電流センサＣＳ１、スイッチＳＷ１は、４組み示されている。
【０１７３】
電流センサＣＳ１は、実施例１と同様である。さらに、電源接続機器１Ａは、電流センサＣＳ１の検出信号を読みとり、処理する処理部１１０と、スイッチＳＷ１に信号を送り
、スイッチＳＷ１を制御する信号制御部１１５とを有する。４つの電流センサＣＳ１の検出信号は、それぞれ通信制御部１１０に入力される。通信制御部１１０は、電流センサＣＳ１のそれぞれの検出値を、アダプタＵＡ１に出力する。
【０１７４】
なお、通信制御部１１０は、電流センサＣＳ１の検出信号を読みとり、処理してもよい。そして、４つの電流センサＣＳ１の検出信号を、それぞれ通信制御部１１０に入力してもよい。通信制御部１１０は、電流センサＣＳ１のそれぞれの検出値に、電流センサＣＳ１が検出する電流の供給先となるコンセントＣ１の識別情報を対応付けて、アダプタＵＡ１に出力してもよい。アダプタＵＡ１に接続される装置は、コンセントＣ１の識別情報に対応付けて、そのコンセントＣ１で使用されている電力値を取得可能となる。
【０１７５】
スイッチＳＷ１は、有接点の機械式リレーであってもよいし、無接点の半導体リレーであってもよい。信号制御部１１５からスイッチＳＷ１をＯＮにする信号がスイッチＳＷ１に送られると、スイッチＳＷ１がＯＮになり、コンタクトＣＴ１と分岐路ＡＣ３とが接続される。信号制御部１１５からスイッチＳＷ１をＯＦＦにする信号がスイッチＳＷ１に送られると、スイッチＳＷ１がＯＦＦになり、コンタクトＣＴ１と分岐路ＡＣ３とが非接続となる。信号制御部１１５は、スイッチＳＷ１をＯＮ又はＯＦＦにする信号を、スイッチＳＷ１ごとに送ることにより、スイッチＳＷ１ごとにＯＮ又はＯＦＦを切り変える。
【０１７６】
図２７は、電源接続機器１Ａのハードウェアの構成を例示する図である。すなわち、図２７では、電気機器２に電力を供給する導電路は除外し、電源接続機器１Ａの電流センサＣＳ１で検出される検出値を処理するシステムのハードウェア構成が例示されている。
【０１７７】
電源接続機器１Ａ内の処理部１１０は、ＣＰＵ１１１、メモリ１１２及びＡＤ（Analog/Digital）変換部１１３を有する。このうち、ＡＤ変換部１１３は、電流センサＣＳ１の検出値をアナログ信号からデジタル信号に変換し、ＣＰＵ１１１に引き渡す。
【０１７８】
ＣＰＵ１１１は、プログラムを実行し、処理部１１０の機能を提供する。すなわち、ＣＰＵ１１１は、それぞれの電流センサＣＳ１での検出値を読みとる。ＣＰＵ１１１は、電流センサＣＳ１での検出値を電力値に換算する。メモリ１１２は、主記憶装置とも呼ばれ、ＣＰＵ１１１が処理するデータを保持する。また、メモリ１１２は、各電流センサＣＳ１の検出値等、各検出値から算出した電力値、その他の管理データ等を記憶する。
【０１７９】
電源接続機器１Ａ内のタイマ１１４は、現在の時刻を管理し、所定時刻からの経過時間を測定する。電源接続機器１に設けられた表示器１０１は、コンセントＣ１に接続された電源機器２が有する二次電池の充電中や充電完了の表示を行う。例えば、表示器１０１は、液晶ディスプレイ、エレクトロルミネッセンスパネル等であってもよい。また、表示器１０１は、電源機器２が有する二次電池の充電が完了した場合、青色に発光し、電源機器２が有する二次電池が充電中の場合、赤色に発光するようにしてもよい。
【０１８０】
電源接続機器１に設けられたリセットボタン１０２は、ユーザがユーザ登録を行う場合に押下される。リセットボタン１０２が押下されることで、電源接続機器１Ａ内のメモリ１１２における各種テーブルに格納された情報をクリアするようにしてもよい。
【０１８１】
信号制御部１１５は、スイッチＳＷ１に所定の信号を送ることにより、スイッチＳＷ１のオン状態又はオフ状態を切り変える。信号制御部１１５は、ＣＰＵ及びＲＯＭを有していてもよい。そして、信号制御部１１５は、ＲＯＭに格納されたプログラムを読み込むことにより、ＳＷ１の制御処理を行ってもよい。また、信号制御部１１５は、ＳＷ１の制御処理を行う制御回路であってもよい。
【０１８２】
電源接続機器１Ａ内の処理部１１０は、実施例１で説明した電力収集部３１１及び制御部３１２の機能と同様の機能を有し、実施例１で説明した消費電力値の収集処理及び二次電池の充電の開始や充電の停止を管理する機能を提供する。すなわち、処理部１１０は、例えば、電気機器２の消費電力値を収集し、メモリ１１２に記憶されている各種のテーブルに、収集した消費電力値を収集時刻とともに格納する。また、処理部１１０は、例えば、電気機器２が有する二次電池の充電の開始や充電の停止の制御を行うための各種の判定処理や決定処理を行う。処理部１１０の機能は、ＣＰＵ１１１がメモリ１１２上に実行可能に展開されたコンピュータプログラムを実行することで提供される。
【０１８３】
実施例２によれば、電源接続機器１Ａが、電気機器２の消費電力値を、一定時間（例えば、１０分）毎に収集し、消費電力値の今回値と前回値とを用いて、電気機器２が有する二次電池の充電の開始や充電の停止の制御を行うことができる。そのため、電源接続機器１Ａに大容量の記憶装置を設けることなく、電気機器２の二次電池の充電の開始や充電の停止の制御を行うことができる。
＜その他＞
以上の実施形態は、さらに以下の付記と呼ぶ態様を含む。以下の各付記に含まれる構成要素は、他の付記に含まれる構成と組み合わせることができる。
【０１８４】
（付記１）
プラグ接続部、
前記プラグ接続部に供給される電流又は電力を検出するセンサ、および、
前記センサが検出した検出値を出力する出力部、を有する電源接続機器と、
前記検出値を前記電源接続機器から取得する取得部、および
所定時刻において、前記電源接続機器から取得した検出値と所定閾値とを比較し、比較結果に基づいて、前記プラグ接続部に供給される電流又は電力の供給開始又は供給停止を制御する制御部、を有する情報処理装置と、を備える二次電池管理システム。
【０１８５】
（付記２）
前記所定時刻は、第１の時刻及び第２の時刻を含み、
前記所定閾値は、第１の閾値及び第２の閾値を含み、
前記制御部は、
前記第１の時刻において、前記電源接続機器から取得した検出値と前記第１の閾値とを比較し、比較結果に基づいて、前記プラグ接続部に供給される電流又は電力の供給開始又は供給停止を制御し、
前記第２の時刻において、前記電源接続機器から取得した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、付記１に記載の二次電池管理システム。
【０１８６】
（付記３）
前記所定時刻は、第３の時刻を更に含み、
前記制御部は、前記第３の時刻において、前記プラグ接続部に供給される電流又は電力の供給開始を制御し、
前記第３の時刻は、前記第２の時刻よりも遅い時刻である、付記２に記載の二次電池管理システム。
【０１８７】
（付記４）
プラグ接続部と、
前記プラグ接続部に供給される電流または電力を検出するセンサと、
所定時刻において、前記センサが検出した検出値と所定閾値とを比較し、比較結果に基づいて、前記プラグ接続部に供給される電流又は電力の供給開始又は供給停止を制御する制御部と、を備える電源接続機器。
【０１８８】
（付記５）
前記所定時刻は、第１の時刻及び第２の時刻を含み、
前記所定閾値は、第１の閾値及び第２の閾値を含み、
前記制御部は、
前記第１の時刻において、前記センサが検出した検出値と前記第１の閾値とを比較し、比較結果に基づいて、前記プラグ接続部に供給される電流又は電力の供給開始又は供給停止を制御し、
前記第２の時刻において、前記センサが検出した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、付記４に記載の電源接続機器。
【０１８９】
（付記６）
前記所定時刻は、第３の時刻を更に含み、
前記制御部は、前記第３の時刻において、前記プラグ接続部に供給される電流又は電力の供給開始を制御し、
前記第３の時刻は、前記第２の時刻よりも遅い時刻である、付記５に記載の電源接続機器。
【０１９０】
（付記７）
プラグ接続部に供給される電流または電力を検出するセンサ、および、前記センサが検出した検出値を出力する出力部、を有する電源接続機器から、前記検出値を取得する取得部と、
所定時刻において、前記電源接続機器から取得した検出値と所定閾値とを比較し、比較結果に基づいて、前記プラグ接続部に供給される電流又は電力の供給開始又は供給停止を制御する制御部と、を備える情報処理装置。
【０１９１】
（付記８）
前記所定時刻は、第１の時刻及び第２の時刻を含み、
前記所定閾値は、第１の閾値及び第２の閾値を含み、
前記制御部は、
前記第１の時刻において、前記電源接続機器から取得した検出値と前記第１の閾値とを比較し、比較結果に基づいて、前記プラグ接続部に供給される電流又は電力の供給開始又は供給停止を制御し、
前記第２の時刻において、前記電源接続機器から取得した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、付記７に記載の情報処理装置。
【０１９２】
（付記９）
前記所定時刻は、第３の時刻を更に含み、
前記制御部は、前記第３の時刻において、前記プラグ接続部に供給される電流又は電力の供給開始を制御し、
前記第３の時刻は、前記第２の時刻よりも遅い時刻である、付記８に記載の情報処理装
置。
【０１９３】
（付記１０）
コンピュータが、
プラグ接続部に供給される電流又は電力を検出するセンサ、及び、前記センサが検出した検出値を出力する出力部、を有する電源接続機器から、前記検出値を取得する取得ステップと、
所定時刻において、前記電源接続機器から取得した検出値と所定閾値とを比較し、比較結果に基づいて、前記プラグ接続部に供給される電流又は電力の供給開始又は供給停止を制御する制御ステップと、
を実行する二次電池管理方法。
【０１９４】
（付記１１）
前記所定時刻は、第１の時刻及び第２の時刻を含み、
前記所定閾値は、第１の閾値及び第２の閾値を含み、
前記制御ステップは、
前記第１の時刻において、前記電源接続機器から取得した検出値と前記第１の閾値とを比較し、比較結果に基づいて、前記プラグ接続部に供給される電流又は電力の供給開始又は供給停止を制御し、
前記第２の時刻において、前記電源接続機器から取得した検出値と前記第２の閾値とを比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、付記１０に記載の二次電池管理方法。
【０１９５】
（付記１２）
前記所定時刻は、第３の時刻を更に含み、
前記制御部は、前記第３の時刻において、前記プラグ接続部に供給される電流又は電力の供給開始を制御し、
前記第３の時刻は、前記第２の時刻よりも遅い時刻である、付記１１に記載の二次電池管理方法。
【０１９６】
（付記１３）
コンピュータに、
プラグ接続部に供給される電流又は電力を検出するセンサ、及び、前記センサが検出した検出値を出力する出力部、を有する電源接続機器から、前記検出値を取得する取得ステップと、
所定時刻において、前記電源接続機器から取得した検出値と所定閾値とを比較し、比較結果に基づいて、前記プラグ接続部に供給される電流又は電力の供給開始又は供給停止を制御する制御ステップと、
を実行させるための二次電池管理プログラム。
【０１９７】
（付記１４）
前記所定時刻は、第１の時刻及び第２の時刻を含み、
前記所定閾値は、第１の閾値及び第２の閾値を含み、
前記制御ステップは、
前記第１の時刻において、前記電源接続機器から取得した検出値と前記第１の閾値とを比較し、比較結果に基づいて、前記プラグ接続部に供給される電流又は電力の供給開始又は供給停止を制御し、
前記第２の時刻において、前記電源接続機器から取得した検出値と前記第２の閾値とを
比較し、比較結果に基づいて、前記プラグ接続部に供給される電流又は電力の供給開始又は供給停止を制御し、
前記第１の時刻は、前記第２の時刻よりも早い時刻であり、前記第１の閾値は、前記第２の閾値よりも大きい値である、付記１３に記載の二次電池管理プログラム。
【０１９８】
（付記１５）
前記所定時刻は、第３の時刻を更に含み、
前記制御部は、前記第３の時刻において、前記プラグ接続部に供給される電流又は電力の供給開始を制御し、
前記第３の時刻は、前記第２の時刻よりも遅い時刻である、付記１４に記載の二次電池管理プログラム。
【０１９９】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０２００】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【符号の説明】
【０２０１】
１    電源接続機器
２Ａ、２Ｂ、２Ｃ    電気機器
３    管理装置
４    ネットワーク
５    管理者端末
６    ユーザ端末
１０  通信制御部
１１  信号制御部
１２  ＡＤ（Analog/Digital）変換部
３１１  電力収集部
３１２  制御部
３１３  通信部
３２０  システム設定値テーブル
３２１  ユーザ情報テーブル
３２２  開始時刻テーブル
３２３  消費電力テーブル
３２４  状態フラグテーブル
３２５  状態管理テーブル
３２６  最小消費電力テーブル
３２７  充電確認ポイント予備テーブル
３２８  充電確認ポイントテーブル
３２９  スケジューラ収集時刻テーブル
３３０  機器使用時刻テーブル
３３１  起動予測時刻テーブル
【図１】
0005731849.tif 000002
【図２】
0005731849.tif 000003
【図３】
0005731849.tif 000004
【図４】
0005731849.tif 000005
【図５】
0005731849.tif 000006
【図６】
0005731849.tif 000007
【図７】
0005731849.tif 000008
【図８】
0005731849.tif 000009
【図９】
0005731849.tif 000010
【図１０】
0005731849.tif 000011
【図１１】
0005731849.tif 000012
【図１２】
0005731849.tif 000013
【図１３】
0005731849.tif 000014
【図１４】
0005731849.tif 000015
【図１５】
0005731849.tif 000016
【図１６】
0005731849.tif 000017
【図１７】
0005731849.tif 000018
【図１８】
0005731849.tif 000019
【図１９】
0005731849.tif 000020
【図２０】
0005731849.tif 000021
【図２１】
0005731849.tif 000022
【図２２】
0005731849.tif 000023
【図２３】
0005731849.tif 000024
【図２４】
0005731849.tif 000025
【図２５】
0005731849.tif 000026
【図２６】
0005731849.tif 000027
【図２７】
0005731849.tif 000028